(57)【特許請求の範囲】
【請求項１】
低レイテンシミリ波（ｍｍＷ）バックホール接続を確立するための基地局において使用するための方法であって、
１つのロングタームエボリューション（ＬＴＥ）スケジューリング間隔内の発展型ノードＢ（ｅＮＢ）から、ｍｍＷ中継スケジュールを受信するステップと、
前記ｍｍＷ中継スケジュールをデコードするステップと、
前記ｍｍＷ中継スケジュールに従って受信ビームおよび送信ビームを操向するステップと、
前記受信ビームを使用して前記ｍｍＷ中継スケジュールに基づいてｍｍＷ送信時間間隔（ＴＴＩ）内で第２の基地局からデータパケットを受信するステップと、
前記送信ビームを使用して前記ｍｍＷ中継スケジュールに基づいて第３の基地局へ前記データパケットを送信するステップであって、該送信は前記データパケットの受信が完了する前に開始する、該ステップと
を備えたことを特徴とする方法。
【請求項２】
前記ｍｍＷ  ＴＴＩの長さは、前記ＬＴＥスケジューリング間隔の長さおよび構成に基づくことを特徴とする請求項１記載の方法。
【請求項３】
前記ｍｍＷ中継スケジュールを受信するステップは、ＬＴＥサブフレームのＰＤＣＣＨ領域内のダウンリンク制御情報（ＤＣＩ）をデコードするステップをさらに含むことを特徴とする請求項１記載の方法。
【請求項４】
前記ｍｍＷ中継スケジュールは、ｍｍＷ制御チャネルで受信され、
前記ＤＣＩは、前記ｍｍＷ制御チャネルの周波数割当て、前記ｍｍＷ制御チャネルの転送フォーマット、又は前記ＬＴＥサブフレームの物理ダウンリンク共有チャネル（ＰＤＳＣＨ）領域内の複数のＯＦＤＭシンボルの少なくとも１つ、のうちの少なくとも１つを示すことを特徴とする請求項３記載の方法。
【請求項５】
前記複数のＯＦＤＭシンボルの少なくとも１つは、１つのｍｍＷ  ＴＴＩ用の中継スケジューリング情報およびｍｍＷデータチャネル用の周波数割当てを含み、
前記中継スケジューリング情報は、受信時間、受信アンテナパターン、受信用周波数チャネル、送信時間、送信アンテナパターン、送信用周波数チャネル、又は送信電力のうちの少なくとも１つを含むことを特徴とする請求項４記載の方法。
【請求項６】
ｅＮＢの複数の隣接基地局を示すｅＮＢ隣接リストを、前記ｅＮＢから受信するステップと、
複数の基地局の各々の複数の隣接基地局を示す複数の基地局隣接リストを、前記ｅＮＢから受信するステップと
をさらに備えたことを特徴とする請求項１記載の方法。
【請求項７】
前記ｍｍＷ中継スケジュールは複数のリンクを示し、各リンクは送信基地局および受信基地局によって識別され、
前記送信基地局および前記受信基地局の各々は、前記ｅＮＢ隣接リスト上又は前記複数の基地局隣接リストの１つ上の複数の隣接基地局の１つと関連付けられたインデックスによって示されたことを特徴とする請求項６記載の方法。
【請求項８】
前記ｍｍＷ中継スケジュールは、前記ｍｍＷ中継スケジュールを受信することと前記データパケットを受信することとの間での遅延を示すことを特徴とする請求項１記載の方法。
【請求項９】
サウンディングスケジュールを受信するステップと、
前記サウンディングスケジュールに基づいてサウンディング手順を実行するステップと、
ＬＴＥリンクを介してｅＮＢにサウンディング報告を送信するステップと
をさらに備えたことを特徴とする請求項１記載の方法。
【請求項１０】
前記サウンディング報告に基づいて更新されたｍｍＷ中継スケジュールを受信するステップ
をさらに備えたことを特徴とする請求項９記載の方法。
【請求項１１】
低レイテンシミリ波（ｍｍＷ）バックホール接続を確立するための基地局であって、
１つのロングタームエボリューション（ＬＴＥ）スケジューリング間隔内の発展型ノードＢ（ｅＮＢ）から、ｍｍＷ中継スケジュールを受信するように構成された受信機と、
前記ｍｍＷ中継スケジュールをデコードするように構成されたプロセッサと、
前記プロセッサは、前記ｍｍＷ中継スケジュールに従って受信ビームおよび送信ビームを操向するように構成され、
前記受信機は、前記受信ビームを使用して前記ｍｍＷ中継スケジュールに基づいてｍｍＷ送信時間間隔（ＴＴＩ）内で第２の基地局からデータパケットを受信するように構成され、
前記送信ビームを使用して前記ｍｍＷ中継スケジュールに基づいて第３の基地局へ前記データパケットを送信するように構成された送信機であって、該送信は前記データパケットの受信が完了する前に開始する、該送信機と
を備えたことを特徴とする基地局。
【請求項１２】
前記ｍｍＷ  ＴＴＩの長さは、前記ＬＴＥスケジューリング間隔の長さおよび構成に基づくことを特徴とする請求項１１記載の基地局。
【請求項１３】
前記ｍｍＷ中継スケジュールを受信することは、ＬＴＥサブフレームのＰＤＣＣＨ領域内のダウンリンク制御情報（ＤＣＩ）をデコードすることをさらに含むことを特徴とする請求項１１記載の基地局。
【請求項１４】
前記ｍｍＷ中継スケジュールは、ｍｍＷ制御チャネルで受信され、
前記ＤＣＩは、前記ｍｍＷ制御チャネルの周波数割当て、前記ｍｍＷ制御チャネルの転送フォーマット、又は前記ＬＴＥサブフレームの物理ダウンリンク共有チャネル（ＰＤＳＣＨ）領域内の複数のＯＦＤＭシンボルの少なくとも１つ、のうちの少なくとも１つを示すことを特徴とする請求項１３記載の基地局。
【請求項１５】
前記複数のＯＦＤＭシンボルの少なくとも１つは、１つのｍｍＷ  ＴＴＩ用の中継スケジューリング情報およびｍｍＷデータチャネル用の周波数割当てを含み、
前記中継スケジューリング情報は、受信時間、受信アンテナパターン、受信用周波数チャネル、送信時間、送信アンテナパターン、送信用周波数チャネル、又は送信電力のうちの少なくとも１つを含むことを特徴とする請求項１４記載の基地局。
【請求項１６】
前記受信機は、ｅＮＢの複数の隣接基地局を示すｅＮＢ隣接リストを、前記ｅＮＢから受信するようにさらに構成され、
前記受信機は、複数の基地局の各々の複数の隣接基地局を示す複数の基地局隣接リストを、前記ｅＮＢから受信するようにさらに構成された、
ことをさらに備えた特徴とする請求項１１記載のように基地局。
【請求項１７】
前記ｍｍＷ中継スケジュールは複数のリンクを示し、各リンクは送信基地局および受信基地局によって識別され、
前記送信基地局および前記受信基地局の各々は、前記ｅＮＢ隣接リスト上又は前記複数の基地局隣接リストの１つ上の複数の隣接基地局の１つと関連付けられたインデックスによって示されたことを特徴とする請求項１６記載の基地局。
【請求項１８】
前記ｍｍＷ中継スケジュールは、前記ｍｍＷ中継スケジュールを受信することと前記データパケットを受信することとの間での遅延を示すことを特徴とする請求項１１記載の基地局。
【請求項１９】
前記受信機は、サウンディングスケジュールを受信するようにさらに構成され、
前記プロセッサは、前記サウンディングスケジュールに基づいてサウンディング手順を実行するようにさらに構成され、
前記送信機は、前記ＬＴＥリンクを介してｅＮＢにサウンディング報告を送信するようにさらに構成された、
ことをさらに備えたことを特徴とする請求項１１記載の基地局。
【請求項２０】
前記受信機は、前記サウンディング報告に基づいて、更新されたｍｍＷ中継スケジュールを受信するようにさらに構成された、
ことをさらに備えたことを特徴とする請求項１９記載の基地局。
【発明の詳細な説明】
【技術分野】
【０００１】
本発明は、低レイテンシミリ波（ＭＭＷ）バックホールシステムのための物理層（ＰＨＹ）設計の方法および装置に関する。
関連出願の相互参照
本願は、２０１３年２月７日に出願された米国特許仮出願第６１／７６２，１８１号の利益を主張し、それらの内容は参照により本明細書に組み込まれる。
【背景技術】
【０００２】
第３世代パートナーシッププログラム（３ＧＰＰ）は、予期されるモバイルデータ需要のためにセルラーネットワークの帯域幅を増加させるためのロングタームエボリューション（ＬＴＥ）を導入した。しかし、モバイルデータ需要の伸びは、ＬＴＥ、ＬＴＥ−Ａｄｖａｎｃｅｄ（ｌＴＥ−Ｅ）の次の世代によって導入される容量をすぐに上回ることが予測されている。
【発明の概要】
【発明が解決しようとする課題】
【０００３】
そこで、本発明では、低レイテンシミリ波バックホールシステムのための改善された物理層設計の方法および装置を提供することにある。  
【課題を解決するための手段】
【０００４】
本方法および装置は、低レイテンシミリ波（ｍｍＷ）バックホール接続を確立するために開示されている。基地局は、１つのロングタームエボリューション（ＬＴＥ）スケジューリング間隔内の発展型ノードＢ（ｅＮＢ）から、ｍｍＷ（ミリ波）中継スケジュールを受信する。基地局は、ｍｍＷ（ミリ波）中継スケジュールをデコードし、ｍｍＷ（ミリ波）中継スケジュールに従ってｍｍＷ（ミリ波）無線送信リソースを初期化する。基地局は、初期化されたｍｍＷ（ミリ波）無線送信リソースを使用してｍｍＷ（ミリ波）中継スケジュールに基づいてｍｍＷ（ミリ波）送信時間間隔（ＴＴＩ）内で第２の基地局からデータパケットを受信し、および、初期化されたｍｍＷ（ミリ波）無線送信リソースを使用してｍｍＷ（ミリ波）中継スケジュールに基づいて第３の基地局へデータパケットを送信する。送信は、データパケットの受信が完了する前に開始する。
【図面の簡単な説明】
【０００５】
より詳細な理解を、添付の図面と共に、例として与えられている以下の説明から得ることができる。
【０００６】
【図１Ａ】１つ以上の開示された実施形態を実施することができる例示的な通信システムのシステム図である。
【図１Ｂ】図１Ａに示した通信システム内で使用される例示的な無線送信／受信ユニット（ＷＴＲＵ）のシステム図である。
【図１Ｃ】エンドツーエンドモバイルネットワークインフラ内の小セルバックホールのシステム図である。
【図１Ｄ】ｍｍＷ（ミリ波）バックホールのシステム図は、３ＧＰＰセルラーネットワークおよび非3ＧＰＰネットワークアクセスインフラの両方に適用される。
【図２】低レイテンシｍｍＷ（ミリ波）システムの概要を示す図である。
【図３】例示的な低レイテンシｍｍＷ（ミリ波）バックホールシステムを示す図である。
【図４】例示的なｍｍＷ（ミリ波）アクセスリンクフレーム構成を示す図である。
【図５】ｍｍＷ（ミリ波）データチャネルのスケジューリングの一例を示す図である。
【図６】ｍｍＷ（ミリ波）物理ダウンリンク制御チャネル（ｍｍＰＤＣＣＨ）のスケジューリングの一例を示す図である。
【図７】同期化された増幅およびリレー動作を示す図である。
【図８】ｍｍＷ（ミリ波）基地局の初期化手順を示す図である。
【図９】スケジュールされたルート上でのエンドツーエンドチャネルサウンドを示す図である。
【図１０】個々のパックホールリンクのサウンドを示す図である。
【発明を実施するための形態】
【０００７】
図１Ａは、１または複数の開示されている実施形態が実装される例示的な通信システム１００の図である。通信システム１００は、音声、データ、ビデオ、メッセージング、ブロードキャストなど、コンテンツを複数の無線ユーザに提供する多元接続システムである。通信システム１００は、複数の無線ユーザが無線帯域幅を含むシステムリソースの共有を通じてそのようなコンテンツにアクセスすることを可能にする。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）など、１または複数のチャネルアクセス方法を使用する。
【０００８】
図１Ａに示されているように、通信システム１００は、無線送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むが、開示されている実施形態は任意の数のＷＴＲＵ、基地局、ネットワーク、および／またはネットワーク要素を企図していることを理解されたい。ＷＴＲＵ１０２ａ、１０２ｂ、１０２ｃ、１０２ｄのそれぞれは、無線環境で動作および／または通信するように構成された任意のタイプのデバイスである。たとえば、ＷＴＲＵ１０２ａ、１０２ｂ、１０２ｃ、１０２ｄは、無線信号を送信および／または受信するように構成され、ユーザ機器（ＵＥ）、移動局、固定型もしくは移動型加入者ユニット、ページャ、セルラ電話、携帯情報端末（ＰＤＡ）、スマートフォン、ラップトップ、ネットブック、パーソナルコンピュータ、無線センサ、家電などを含む。
【０００９】
また、通信システム１００は、基地局１１４ａおよび基地局１１４ｂを含む。基地局１１４ａ、１１４ｂのそれぞれは、ＷＴＲＵ１０２ａ、１０２ｂ、１０２ｃ、１０２ｄの少なくとも１つと無線でインターフェースし、コアネットワーク１０６、インターネット１１０、および／または他のネットワーク１１２など、１または複数の通信ネットワークへのアクセスを容易にするように構成された任意のタイプのデバイスである。たとえば、基地局１１４ａ、１１４ｂは、ベーストランシーバ基地局（ＢＴＳ）、ノードＢ、高度化ノードＢ、ホームノードＢ、ホーム高度化ノードＢ、サイトコントローラ、アクセスポイント（ＡＰ）、無線ルータなどである。基地局１１４ａ、１１４ｂは、それぞれが単一の要素として示されているが、基地局１１４ａ、１１４ｂは、任意の数の相互接続された基地局および／またはネットワーク要素を含むことが理解される。
【００１０】
基地局１１４ａは、ＲＡＮ１０４の一部であり、ＲＡＮ１０４もまた、基地局コントローラ（ＢＳＣ）、無線ネットワークコントローラ（ＲＮＣ）、中継ノードなど、他の基地局および／またはネットワーク要素（図示せず）を含む。基地局１１４ａおよび／または基地局１１４ｂは、セル（図示せず）と呼ばれる特定の地理的領域内で無線信号を送信および／または受信するように構成される。さらに、セルは、セルセクタに分割される。たとえば、基地局１１４ａに関連付けられたセルは、３つのセクタに分割される。したがって、一実施形態では、基地局１１４ａは、３つ、すなわちセルの各セクタごとに１つ、トランシーバを含む。他の実施形態では、基地局１１４ａは、マルチ入力マルチ出力（ＭＩＭＯ）技術を使用し、したがって、セルの各セクタについて複数のトランシーバを使用する。
【００１１】
基地局１１４ａ、１１４ｂは、任意の好適な無線通信リンク（たとえば、無線周波数（ＲＦ）、マイクロ波、赤外（ＩＲ）、紫外（ＵＶ）、可視光など）であるエアインターフェース１１６の上でＷＴＲＵ１０２ａ、１０２ｂ、１０２ｃ、１０２ｄの１または複数と通信する。エアインターフェース１１６は、任意の好適な無線アクセス技術（ＲＡＴ）を使用して確立される。
【００１２】
より具体的には、上記で指摘したように、通信システム１００は、多元接続システムであり、ＣＤＭＡ、ＴＤＭＡ、ＦＤＭＡ、ＯＦＤＭＡ、ＳＣ−ＦＤＭＡなど、１または複数のチャネルアクセス方式を使用する。たとえば、ＲＡＮ１０４内の基地局１１４ａ、およびＷＴＲＵ１０２ａ、１０２ｂ、１０２ｃは、広帯域ＣＤＭＡ（ＷＣＤＭＡ（登録商標））を使用してエアインターフェース１１６を確立するユニバーサル移動体通信システム（ＵＭＴＳ）地上波無線アクセス（ＵＴＲＡ）など無線技術を実装する。ＷＣＤＭＡは、高速パケットアクセス（ＨＳＰＡ）および／または発展型ＨＳＰＡ（ＨＳＰＡ＋）など、通信プロトコルを含む。ＨＳＰＡは、高速ダウンリンクパケットアクセス（ＨＳＤＰＡ）および／または高速アップリンクパケットアクセス（ＨＳＵＰＡ）を含む。
【００１３】
他の実施形態では、基地局１１４ａ、およびＷＴＲＵ１０２ａ、１０２ｂ、１０２ｃは、ロングタームエボリューション（ＬＴＥ）および／または拡張ＬＴＥ（ＬＴＥ−Ａ）を使用してエアインターフェース１１６を確立する拡張ＵＭＴＳ地上波無線アクセスネットワーク（Ｅ−ＵＴＲＡ）など無線技術を実装する。
【００１４】
他の実施形態では、基地局１１４ａ、およびＷＴＲＵ１０２ａ、１０２ｂ、１０２ｃは、ＩＥＥＥ８０２．１６（すなわち、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００  １Ｘ、ＣＤＭＡ２０００ＥＶ−ＤＯ、暫定標準２０００（ＩＳ−２０００）、暫定標準９５（ＩＳ−９５）、暫定標準８５６（ＩＳ−８５６）、グローバル移動体通信システム（ＧＳＭ（登録商標））、ＧＳＭエボリューション用の拡張データ転送速度（ＥＤＧＥ）、ＧＳＭ  ＥＤＧＥ（ＧＥＲＡＮ）など、無線技術を実装する。
【００１５】
図１Ａにおける基地局１１４ｂは、たとえば、無線ルータ、ホームノードＢ、ホーム高度化ノードＢ、またはアクセスポイントであり、事業所、自宅、乗物、キャンパスなど、局所的なエリアでの無線コネクティビティを容易にするための任意の好適なＲＡＴを使用する。一実施形態では、基地局１１４ｂ、およびＷＴＲＵ１０２ｃ、１０２ｄは、無線ローカルエリアネットワーク（ＷＬＡＮ）を確立するために、ＩＥＥＥ８０２．１１など無線技術を実装する。他の実施形態では、基地局１１４ｂ、およびＷＴＲＵ１０２ｃ、１０２ｄは、無線パーソナルエリアネットワーク（ＷＰＡＮ）を確立するために、ＩＥＥＥ８０２．１５など無線技術を実装する。他の実施形態では、基地局１１４ｂ、およびＷＴＲＵ１０２ｃ、１０２ｄは、ピコセルまたはフェムトセルを確立するために、セルラベースのＲＡＴ（たとえば、ＷＣＤＭＡ、ＣＤＭＡ２０００、ＧＳＭ、ＬＴＥ、ＬＴＥ−Ａなど）を使用する。図１Ａに示されているように、基地局１１４ｂは、インターネット１１０に対する直接接続を有する。したがって、基地局１１４ｂは、コアネットワーク１０６を介してインターネット１１０にアクセスすることが必要でない。
【００１６】
ＲＡＮ１０４は、コアネットワーク１０６と通信し、コアネットワーク１０６は、音声、データ、アプリケーション、および／またはボイスオーバーインターネットプロトコル（ＶｏＩＰ）サービスを、ＷＴＲＵ１０２ａ、１０２ｂ、１０２ｃ、１０２ｄの１または複数に提供するように構成された任意のタイプのネットワークである。たとえば、コアネットワーク１０６は、呼制御、支払い請求サービス、移動体位置をベースとするサービス、プリペイド呼、インターネットコネクティビティ、ビデオ配信などを提供し、および／またはユーザ認証などハイレベルセキュリティ機能を実施する。図１Ａには示されていないが、ＲＡＮ１０４および／またはコアネットワーク１０６は、ＲＡＮ１０４と同じＲＡＴまたは異なるＲＡＴを使用する他のＲＡＮと直接または間接的に通信することが理解される。たとえば、Ｅ−ＵＴＲＡ無線技術を使用しているＲＡＮ１０４に接続されることに加えて、コアネットワーク１０６はまた、ＧＳＭ無線技術を使用する別のＲＡＮ（図示せず）と通信する。
【００１７】
また、コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働く。ＰＳＴＮ１０８は、基本電話サービス（ＰＯＴＳ）を提供する回線交換電話網を含む。インターネット１１０は、ＴＣＰ／ＩＰインターネットプロトコルスイートにおける伝送制御プロトコル（ＴＣＰ）、ユーザデータグラムプロトコル（ＵＤＰ）、インターネットプロトコル（ＩＰ）など、一般的な通信プロトコルを使用する相互接続されたコンピュータネットワークおよびデバイスのグローバルシステムを含む。ネットワーク１１２は、他のサービスプロバイダによって所有および／または運営される有線もしくは無線通信ネットワークを含む。たとえば、ネットワーク１１２は、ＲＡＮ１０４と同じＲＡＴまたは異なるＲＡＴを使用する１または複数のＲＡＮに接続された別のコアネットワークを含む。
【００１８】
通信システム１００におけるＷＴＲＵ１０２ａ、１０２ｂ、１０２ｃ、１０２ｄの一部または全部がマルチモード機能を含む。すなわち、ＷＴＲＵ１０２ａ、１０２ｂ、１０２ｃ、１０２ｄは、異なる無線リンクの上で異なる無線ネットワークと通信するために複数のトランシーバを含む。たとえば、図１Ａに示されているＷＴＲＵ１０２ｃは、セルラベースの無線技術を使用する基地局１１４ａ、およびＩＥＥＥ８０２無線技術を使用する基地局１１４ｂと通信するように構成される。
【００１９】
図１Ｂは、例示的なＷＴＲＵ１０２のシステム図である。図１Ｂに示されているように、ＷＴＲＵ１０２は、プロセッサ１１８、トランシーバ１２０、送信／受信要素１２２、スピーカ／マイクロフォン１２４、キーパッド１２６、ディスプレイ／タッチパッド１２８、非取外し式メモリ１３０、取外し式メモリ１３２、電源１３４、全世界測位システム（ＧＰＳ）チップセット１３６、および他の周辺機器１３８を含む。ＷＴＲＵ１０２は、一実施形態と一貫したまま前述の要素の任意のサブコンビネーションを含むことが理解される。
【００２０】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連付けられた１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などである。プロセッサ１１８は、信号符号化、データ処理、電力制御、入力／出力処理、および／またはＷＴＲＵ１０２が無線環境で動作することを可能にする任意の他の機能を実施する。プロセッサ１１８は、トランシーバ１２０に結合され、トランシーバ１２０は、送信／受信要素１２２に結合される。図１Ｂは、プロセッサ１１８とトランシーバ１２０を別々の構成要素として示しているが、プロセッサ１１８とトランシーバ１２０は、電子パッケージまたはチップ内で共に集積されてもよいことが理解される。
【００２１】
送信／受信要素１２２は、エアインターフェース１１６の上で基地局（たとえば、基地局１１４ａ）に信号を送信する、または基地局から信号を受信するように構成される。たとえば、一実施形態では、送信／受信要素１２２は、ＲＦ信号を送信および／または受信するように構成されたアンテナである。他の実施形態では、送信／受信要素１２２は、たとえばＩＲ信号、ＵＶ信号、または可視光信号を送信および／または受信するように構成されたエミッタ／ディテクタである。他の実施形態では、送信／受信要素１２２は、ＲＦ信号と光信号を共に送信および受信するように構成される。送信／受信要素１２２は、任意の組合せの無線信号を送信および／または受信するように構成されてもよいことを理解されたい。
【００２２】
さらに、送信／受信要素１２２は、図１Ｂに単一の要素として示されているが、ＷＴＲＵ１０２は、任意の数の送信／受信要素１２２を含む。より具体的には、ＷＴＲＵ１０２は、ＭＩＭＯ技術を使用する。したがって、一実施形態では、ＷＴＲＵ１０２は、エアインターフェース１１６の上で無線信号を送信および受信するために２つ以上の送信／受信要素１２２（たとえば、複数のアンテナ）を含む。
【００２３】
トランシーバ１２０は、送信／受信要素１２２によって送信しようとする信号を変調するように、また送信／受信要素１２２によって受信される信号を復調するように構成される。上記で指摘したように、ＷＴＲＵ１０２は、マルチモード機能を有する。したがって、トランシーバ１２０は、たとえばＵＴＲＡおよびＩＥＥＥ８０２．１１など複数のＲＡＴを介してＷＴＲＵ１０２が通信することを可能にするために複数のトランシーバを含む。
【００２４】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）ディスプレイユニット、または有機発光ダイオード（ＯＬＥＤ）ディスプレイユニット）に結合され、それらからユーザ入力データを受け取る。また、プロセッサ１１８は、ユーザデータをスピーカ／マイクロフォン１２４、キーパッド１２６、および／またはディスプレイ／タッチパッド１２８に出力する。さらに、プロセッサ１１８は、非取外し式メモリ１３０および／または取外し式メモリ１３２など、任意のタイプの好適なメモリからの情報にアクセスし、それらにデータを記憶させる。非取外し式メモリ１３０は、ランダムアクセスメモリ（ＲＡＭ）、読出し専用メモリ（ＲＯＭ）、ハードディスク、または任意の他のタイプのメモリ記憶デバイスを含む。取外し式メモリ１３２は、加入者識別モジュール（ＳＩＭ）カード、メモリスティック、セキュアデジタル（ＳＤ）メモリカードなどを含む。他の実施形態では、プロセッサ１１８は、サーバ上または家庭用コンピュータ（図示せず）上など、ＷＴＲＵ１０２上に物理的に位置しないメモリからの情報にアクセスし、それらにデータを記憶させる。
【００２５】
プロセッサ１１８は、電源１３４から電力を受け取り、ＷＴＲＵ１０２内の他の構成要素に電力を分配し、かつ／またはその電力を制御するように構成される。電源１３４は、ＷＴＲＵ１０２に給電するための任意の好適なデバイスである。たとえば、電源１３４は、１または複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含む。
【００２６】
また、プロセッサ１１８は、ＷＴＲＵ１０２の現在位置に関する位置情報（たとえば、経度および緯度）を提供するように構成されるＧＰＳチップセット１３６に結合される。ＧＰＳチップセット１３６からの情報に加えて、またはその代わりに、ＷＴＲＵ１０２は、エアインターフェース１１６の上で基地局（たとえば、基地局１１４ａ、１１４ｂ）から位置情報を受信し、および／または近くの２つ以上の基地局から受信される信号のタイミングに基づいてその位置を決定する。ＷＴＲＵ１０２は、一実施形態と一貫したまま任意の好適な位置決定方法により位置情報を獲得してもよいことが理解される。
【００２７】
さらに、プロセッサ１１８は他の周辺機器１３８に結合され、それらの周辺機器１３８は、追加の特徴、機能、および／または有線もしくは無線コネクティビティを提供する１または複数のソフトウェアおよび／またはハードウェアモジュールを含む。たとえば、周辺機器１３８は、加速度計、電子コンパス、衛星トランシーバ、デジタルカメラ（写真またはビデオ用）、ユニバーサルシリアルバス（ＵＳＢ）ポート、振動デバイス、テレビトランシーバ、ハンドフリー用ヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含む。
【００２８】
図１Ｃは、一実施形態によるエンドツーエンド移動体ネットワークにおける小セルバックホールのシステム図である。方向性ミリメートル波（ｍｍＷ）無線リンクを介して相互接続された小セル（ＳＣ）ノード１５２ａ、１５２ｂ、１５２ｃ、１５２ｄ、１５２ｅのセット、および集約点１５４ａ、１５４ｂは、「方向性メッシュ」ネットワークを含み、バックホールコネクティビティを提供する。たとえば、ＷＴＲＵ１０２は、無線インターフェース１５０を介し、小セル１５２ａおよび集約点１５４ａを介して小セルバックホール１５３に接続する。この例では、集約点１５４ａは、ＷＴＲＵ１０２に、ＲＡＮバックホール１５５を介してＲＡＮコネクティビティサイト１５６ａへのアクセスを提供する。したがって、ＷＴＲＵ１０２は次いで、コアトランスポート１５７を介してコアネットワークノード１５８への、またサービスＬＡＮ１５９を介してインターネットサービスプロバイダ（ＩＳＰ）１６０へのアクセスを有する。また、ＷＴＲＵは、それだけには限らないがローカルコンテンツ１６２、インターネット１６３、およびアプリケーションサーバ１６４を含む外部ネットワーク１６１へのアクセスを有する。例としてＳＣノード１５２の数は５つであるが、任意の数のノード１５２がＳＣノードのセットに含まれてもよいことが留意される。
【００２９】
図１Ｄは、一実施形態による３ＧＰＰセルラネットワークと非３ＧＰＰネットワークアクセスインフラストラクチャとの両方に適用されるｍｍＷバックホールのシステム図である。この例では、非３ＧＰＰネットワークは、ＩＥＥＥ８０２．１１ベースのものである。ＷＴＲＵ１０２ａ、１０２ｂ、１０２ｃ、１０２ｄ、１０２ｅは、ＩＥＥＥ８０２．１１ネットワーク１７０内のミリメートル波基地局（ｍＢ）１７２ａ、１７２ｂ、１７２ｃを介してミリメートル波基地局アグリゲータ（ｍＢＡ）１７２ｄへのアクセスを有する。ｍＢＡ１７２ｄは、インターネット１９２など外部ネットワークへの、また信頼されるＷＬＡＮゲートウェイ（ＴＷＡＧ）１９１を介してセルラネットワークへのアクセスを提供する。
【００３０】
また、この例では、３ＧＰＰネットワーク１８０内のＷＴＲＵ１０２ｆは、ｍＢ１８２ａ、１８２ｃを介して無線通信移動管理装置（ＭＭＥ）１８３およびサービングゲートウェイ（ＳＧＷ）１８４へのアクセスを有し、ＳＧＷ１８４は、パブリックデータネットワークゲートウェイ（ＰＧＷ）１９０およびインターネット１９２へのアクセスを提供する。
【００３１】
また、ＷＴＲＵ１０２ｆ、１０２ｇは、ｍＢ１８２ａ、１８２ｂを介し、ｍＢＡ１８２ｄを介してＳＧＷ１８４へのアクセスを有し、ＳＧＷ１８４は、パブリックデータネットワークゲートウェイ（ＰＧＷ）１９０およびインターネット１９２へのアクセスを提供する。
【００３２】
また、ＷＴＲＵ１０２ｆ、１０２ｇは、高度化ノードＢ（ｅＮＢ）１８５を介してＭＭＥ１８３およびＳＧＷ１８４へのアクセスを有し、ＳＧＷ１８４は、パブリックデータネットワークゲートウェイ（ＰＧＷ）１９０およびインターネット１９２へのアクセスを提供する。
【００３３】
図１Ｃおよび図１Ｄの例に示されているように、ｍｍＷ周波数で動作する無線メッシュネットワーク（ＷＭＮ）は、たとえばＬＴＥまたはＩＥＥＥ８０２．１１に基づくものなど、たとえばセルラまたはＷＬＡＮ  ＳＣのためのバックホールネットワークとして働くように使用される。ｍｍＷ方向性メッシュネットワークは、いくつかの安価に展開されるＳＣにバックホールコネクティビティを提供するための経済的な解決策である。方向性の高いアンテナを使用する方向性リンクは、ｍｍＷ周波数でリンクバジェットを閉じるために使用される。また、方向性メッシュネットワークは、直近の隣接局だけとの見通し線（ＬＯＳ）を必要とすることにより、柔軟なトポロジを提供する。方向性メッシュネットワークは、新しいノードが最小限のネットワーク計画で追加される点で容易なスケーラビリティを提供する。方向性メッシュネットワークは、メッシュノード間の複数のコネクティビティ経路によって提供される冗長性においてロバスト性を提供する。方向性メッシュネットワークは、高速スケジューリングおよび短いキュー時間を確保するために、完全に分散スケジューリングされた、マルチホップ、および時分割多元接続（ＴＤＭＡ）ベースの方向性メッシュＭＡＣ機能で構成される。
【００３４】
ミリメートル波（ｍｍＷ）ホットスポットアンダーレイおよびバックホールシステムは、オーバーレイによる従来のセルラシステムでｍｍＷメッシュネットワークを展開する。結果的にもたらされるハイブリッド無線システムは、セルラレイヤとｍｍＷレイヤとからなる。図２を参照すると、ｍｍＷメッシュネットワーク２００は、ｍｍＷ基地局（ｍＢ）２０２、２０４、２０６からなり、これらのｍＢは、ソースｅＮＢ２０８とターゲットＵＥ２１０の間で、いくつかのピアｍＢの上で、スケジューリングされたルートを介して、ｍｍＷレイヤ上で送信を双方向中継する。
【００３５】
ｍｍＷバックホールリンク２１２およびｍｍＷ  ＵＥアクセスリンク２１４のスケジューリングは、ｅＮＢ２０８で集中化され、セルラシグナリング２１６を介して通信される。あるいは、ｍｍＷゲートウェイ（ｍＧＷ）２１８が、ｍｍＷレイヤ上で担持されるユーザデータのルーティングおよびより高いレイヤのアクセス階層（ＡＳ）処理の責任を担い、図２に示されているように、ｍｍＷレイヤ２２０を介してｍＢ２０２、２０４、２０６と通信する。
【００３６】
エッジｍＢ２０６、すなわちターゲットＵＥ２１０と直接通信するｍＢは、ＵＥのローカルグループをカバーするホットスポット基地局として働き、システム容量を増大し、セルラシステム負荷を軽減する。ホットスポット基地局は、いくつかの異なる動作モードを有する。
【００３７】
考えられている中継は、増幅転送（ＡＦ）技術（全デュプレックスおよび小／ゼロデュプレックス距離を含む）を適用し、メッシュネットワークを通じての結果的にもたらされるレイテンシは、エンドツーエンド送信におけるレイテンシバジェット全体に鑑みて無視できるほど十分小さいものと考えられ、これはファイバ送信レイテンシと同様のものである。さらに、バックホールリンクは、ｍｍＷデータ送信の上で、比較的静的なままである。したがって、ＡＦベースの低レイテンシｍｍＷシステムもまた、ファイバ同等システムと呼ばれる。
【００３８】
あるいは、エッジｍＢ２０６は、復号転送（ＤＦ）技術を使用し、パケットをより低い変調レートおよび／またはコードレートでターゲットＵＥ２１０に再送信する。これは、ＵＥが物理的により劣悪なチャネル条件を有する可能性がより高いために、またＵＥアンテナがバックホール（ＢＨ）アンテナより低い能力を有する可能性が高いために、ｍｍＷアクセスリンク品質はＢＨリンクの品質より低いので、有用と見られる。十分小さいスロットサイズの場合、１つの追加のＤＦプロセスは、小さな追加のエンドツーエンド遅延を、アクセスリンク内だけで加えるにすぎない。ｅＮＢは、依然としてアクセスリンク内のｍｍＷリソースを完全にスケジューリング制御する。この場合、システムは、ｍｍＷバックホールリンクを有するｍＢノードからなるバックホール専用ｍｍＷシステムになる。
【００３９】
ｍｍＷホットスポットシステムのｍＢおよびＵＥは、セルラネットワークによってカバーされ、かつそれに関連付けられ、セルラレイヤでもｍｍＷレイヤでも動作する可能性がある。システムの調整、スケジューリング、およびルーティングは、集中エンティティ、たとえばｅＮＢ内にあるエンティティによって実施され、セルラレイヤ上の他のノードすべてにシグナリングされる。したがって、より高いレイヤおよび物理レイヤ制御シグナリングは、すべてのノード間でセルラレイヤシグナリングを介して排他的に通信され、ｍｍＷレイヤシグナリングは、トラフィックデータだけを担持する。したがって、ｍｍＷレイヤスケジューリングは、セルラレイヤによって実施され、かつ伝えられる。すなわち、クロスレイヤスケジューリングである。バックホール専用低レイテンシｍｍＷシステムの場合、一部の制御および調整情報が、小セル間で、Ｘ２インターフェースの上で交換される。
【００４０】
図３を参照すると、低レイテンシｍｍＷシステムは、バックホール送信３０２を、たとえば遠隔無線ユニット（ＲＲＵ）であるエッジｍＢ３０４に提供する。したがって、ＡＦ  ｍｍＷデータは、エッジｍＢ／ＲＲＵ３０４に関連付けられたＵＥ３０６〜３１４の一部または全部のためのマルチユーザデータトラフィックを担持する。これは、現在のＲＲＵ解決策と同等であるが、エッジｍＢ／ＲＲＵ３０４とｅＮＢ３１６との間のファイバが、低レイテンシｍｍＷシステムによって置き換えられている。ファイバの上でのデータ多重化は、ＡＦリンクの上で実現される。なぜなら、ｍｍＷ帯域幅が、たとえばＬＴＥシステムにおけるセルラアクセスリンク帯域幅よりはるかに大きいからである。この動作では、エッジｍＢ／ＲＲＵ３０４とＵＥ３０６〜３１４との間のアクセスリンク３１８は、ｍｍＷでもセルラでもよく、エッジｍＢ／ＲＲＵ３０４に関連付けられたＵＥ３０６〜３１４は、ｅＮＢ３１６へのセルラリンクを有していなくてもよい。
【００４１】
次に、低レイテンシｍｍＷシステムノードの簡単な概要を提供する。
ｅＮＢは、ｍｍＷホットスポットアンダーレイシステムの集中制御、スケジューリング、およびルーティングを実施する従来のセルラノードである。ｅＮＢは、ｍｍＷリンクを介して隣接局ｍＢと通信する。ｍＢは、ｍｍＷリンクを介してその隣接局ｍＢと通信するｍｍＷ基地局であり、アンダーレイシステムに関連付けられた高度化機能、たとえばいくつかの低減されたｅＮＢ機能を有する進んだユーザデバイスとして、セルラリンクを介してｅＮＢにて登録する。ｍＢは、ｅＮＢによってスケジューリングされたルートに従って送信を別のｍＢに中継するために、ｍｍＷバックホールリンクを介してＡＦを適用する。ｍＢは、複数のＵＥおよびｍＵＥと通信し、ｍｍＷアクセスリンクを介してホットスポット基地局として働く。ｍＵＥは、ｍｍＷ機能を有する従来のセルラノードであり、セルラアクセスリンクを介してその関連のｅＮＢと、またｍｍＷアクセスリンクを介してｍＢと通信する。
【００４２】
オーバーレイシステムは、Ｒ１０ＬＴＥネットワークなどセルラシステム、またはＷｉＦｉもしくはＷｉＭＡＸシステムに基づく別のネットワークである。また、オーバーレイシステムは、ＴＶホワイトスペースなど異なるスペクトル空間でも動作する。ｍｍＷ  ＢＨリンクおよびｍｍＷアクセスリンクは、ＩＥＥＥ８０２．１１ａｄネットワーク、後続の段落で論じられている新しい６０ＧＨｚ帯域システム、または異なる周波数帯域の別のシステムに基づいてもよい。
【００４３】
シングルキャリアｍｍＷアクセスリンクフレーム構造の一例が図４に示されている。この例における１つの送信時間間隔（ＴＴＩ）は、長さ１００μｓの１つのタイムスロットである。クロスレイヤスケジューリングを容易にするために、フレーム構造４００は、ＬＴＥサブフレーム構造と位置合わせされる１ｍｓサブフレーム４０２を有する。ｍｍＷアクセスリンクサブフレーム当たりのＴＴＩの数は、セルラリンク内のスケジューリングインスタンスの数に結びつけられ、したがって、フレーム構造の長さは、クロスレイヤスケジューリング方式に依存する。
【００４４】
この例では、各ｍｍＷアクセスリンクタイムスロットは、ＬＴＥサブフレーム内の１つのシンボル位置でマッピングされるｍｍＷ物理ダウンリンク制御チャネル（ｍｍＰＤＣＣＨ）を介してスケジューリングされる。したがって、図４に示されている１０個のタイムスロットＴｉｍｅ  Ｓｌｏｔ＃０〜９は、１０個の連続するシンボル位置内で送信される１０個のｍｍＰＤＣＣＨを必要とする。ｍｍＰＤＣＣＨは、正規の物理ダウンリンク共有チャネル（ＰＤＳＣＨ）と、また同じシンボル位置における周波数領域内の異なるタイプのＬＴＥ基準信号と多重化される。スケジューリング方式のこれ以上の詳細が本明細書で提供される。
【００４５】
ｍｍＷアクセスリンクＴＴＩもまた１ｍｓであり、これはサブフレームの長さである。この場合、１つのＬＴＥサブフレーム内で必要とされるスケジューリングインスタンスは、１つのシンボル位置に縮小される。より長いＴＴＩの利点は、ｍｍＷスケジューリングでより少ないＬＴＥリソースしか必要とされないことである。しかし、ｍｍＷアクセスリンクが適用する大きな帯域幅を考えると、トランスポートブロックサイズが、処理するには大きくなりすぎる。
【００４６】
このフレーム構造は、約１７６０ＭＨｚのサンプリング周波数を適用し、これはＩＥＥＥ８０２．１１ａｄシステムとほぼ同じであり、結果的にもたらされる基本時間単位は、約０．５７ｎｓである。しかし、クロスレイヤスケジューリング方式に、より柔軟性を提供するために、また１つのデバイス内でＬＴＥリンクとｍｍＷリンクの間の共通ブロック共有を可能にするために、サンプリング周波数は、３０．７２ＭＨｚのＬＴＥサンプリング周波数とクロスレイヤスケジューリングインスタンスの公倍数である。たとえば、ＬＴＥ  ＤＬが１つのサブフレーム内に１０個のｍｍＰＤＣＣＨを有するとき、ｍｍＷアクセスリンクは、３０．７２×５７２＝１７５７．１８４ＭＨｚのサンプリング周波数を使用する。ＩＥＥＥ８０２．１１ａｄサンプリング周波数は１７６０ＭＨｚであることが留意される。１７５７．１８４ＭＨｚのサンプリング周波数が１つのＬＴＥサブフレーム内の１０個のｍｍＰＤＣＣＨと位置合わせさせることができることは確かである。
【００４７】
さらに、１つのＬＴＥサブフレーム内に可能なスケジューリングインスタンスのセットを収容するために、ｍｍＷアクセスリンクサブフレーム当たりのＴＴＩの数は、シングルキャリア帯域幅が使用可能な２ＧＨｚの十分な部分を占めるように、そのセットとＬＴＥサンプリング周波数（１５０００×２０４８）とサンプリング係数の最小公倍数に基づく。たとえば、｛８，９，１０，１１，１２｝のスケジューリングインスタンスのセットを考えると、このセットの最小公倍数は３９６０である。３９６０と３０７２００００のＬＴＥサンプリング周波数の最小公倍数は、１２６７２００００である。したがって、１７７４．０８ＭＨｚのサンプリング周波数（Ｋは１４）が使用される。
【００４８】
上記のように、ＬＴＥ  ＰＤＳＣＨの各ＯＦＤＭシンボル時間は、１つのｍｍＷエンドツーエンドスケジューリングイベントに対応する。例示のために、最初の１０個のＰＤＳＣＨ  ＯＦＤＭシンボルがｍｍＷレイヤをスケジューリングするために使用される。他の変形形態が可能であり、様々な数のＰＤＳＣＨシンボルに適応する。最初のＢＨ／ｍｍＰＤＣＣＨメッセージの終わり（最初のＰＤＳＣＨシンボルの終わり）からＰｏＰノードでの対応するｍｍＷスロットの開始（Ｔｏ，ｌ）へのタイミングオフセットが、セルラレイヤ内でＲＲＣシグナリングを介して他のノードすべてにシグナリングされる。
【００４９】
ｋ番目のＢＨ／ｍｍＰＤＣＣＨメッセージの終わりからＰｏＰノードでの対応するｍｍＷスロットの開始（Ｔｏ，ｋ）へのタイミングオフセットは、増大するｋについて、より大きなものである。これは、ＰＤＳＣＨの最初の１０個のＯＦＤＭシンボルが、１ｍｓ分のｍｍＷ  ＴＴＩに対応する１０個のＢＨ／ｍｍＰＤＣＣＨメッセージに使用される、すなわちＬＴＥ  ＰＤＣＣＨ（および、ｍｍＷスロットがＰＤＳＣＨシンボルに適応しない場合、おそらくはいくつかの後方の、ＬＴＥ  ＰＤＳＣＨのためのＯＦＤＭシンボル）がｍｍＷレイヤをスケジューリングするために使用されないからである。タイミングオフセットは、以下の式によって定義される。
Ｔｏ，ｋ＝Ｔｏ，ｌ＋（ｋ−ｌ）＊（ＮＯＦＤＭ−Ｎｍｍ）／（ＮＯＦＤＭ）［ｍｓ］
上式で、Ｎｍｍは、ｍｍＷスケジューリングに使用されるＰＤＳＣＨシンボルの数に等しい。
【００５０】
ｍｍＷタイムフレームの遅延は、平均で、（より長い経路および何らかのＡＦ遅延により）ＬＴＥ信号の場合より大きい。各ＡＦノードは、そのＬＴＥタイムフレームに対してＡＦアクションを開始する。ガード時間が各ｍｍＷパケットに追加され、ＬＴＥタイムフレームに対するｍｍＷタイムフレームのタイミングドリフトを可能にする。ガード時間は、ＬＴＥタイムフレームとｍｍＷタイムフレームとの最大差と少なくとも同じ長さである。マンハッタングリッドルーティングの場合、伝播距離差は、（ｓｑｒｔ（２）−ｌ）＊ＬＯＳ経路にほぼ等しいはずであり、これは、１ｋｍのマクロ半径として、およそ４１４ｍに等しい。これは、４１４ｍ／３×ｌ０8ｍ／ｓ＝１．４μｓの遅延を与える。ホップ当たりの処理遅延は、約１００ｎｓであり、５ホップについて合計５００ｎｓを与える。この時間は、上記で論じた１．４μｓ移動時間と組み合わされて、約２μｓ遅延をもたらす。２倍の安全係数を用いれば、４μｓガード時間が理にかなっている。スケジューリングおよび同期のための上記の手法は、異なる帯域幅を有する他のタイプのｍｍＷチャネルにも、異なるサンプリング周波数を有する異なるオーバーレイシステムにもの適用される。
【００５１】
ｍｍＷアクセスリンクＴＴＩ内で担持される物理レイヤ情報は、以下のように分類される。図４を参照すると、自動利得制御（ＡＧＣ）フィールド４０４は、ＡＧＣ設定およびコンバージェンスのために意図された固定シーケンスを含む。主パイロットフィールド４０６は、タイミング獲得およびチャネル推定のためにソースｅＮＢによって生成されるパイロットシーケンスを含む。ゴレーシーケンス４０８は、図４に示されているように考えられる。補助パイロットフィールド４１０は、たとえばＤＦアプリケーションでは最後のホップのタイミング獲得およびチャネル推定のためにエッジｍＢによって生成される任意選択のパイロットシーケンスを含む。補助制御フィールド４１２は、最後のホップに関連するエッジｍＢからの任意選択のショートメッセージを含む。ヘッダ４１４は、最後のホップのデータフィールドを受信するために必要とされる任意選択の制御情報、たとえばＭＣＳ、パケットＩＤなどを含む。データフィールド４１６は、このＴＴＩ内で担持されるトラフィックデータを含む。ビーム洗練フィールド４１８は、ビーム洗練のための任意選択の制御情報を含む。ＱＣＩレポートフィールド４２０は、バックホールリンクおよびアクセスリンクのためのＱＣＩ情報を含む。ガード時間４２２は、伝播からタイミングの影響を除去するためのガード間隔の事前設定の期間である。このセクションで論じられているフィールドの数、各フィールド内で担持されるコンテンツ、フィールドの順序、および各フィールドの持続時間は、ｍｍＷフレーム構造の一例である。異なる設計パラメータが考えられる。
【００５２】
クロスレイヤスケジューリングは、ｅＮＢによって実施され、セルラレイヤ上のダウンリンク制御チャネル、たとえばＬＴＥシステムにおけるＰＤＣＣＨ内で送信される。しかし、スケジューリングされた送信は、ｍｍＷアクセスリンクまたはｍｍＷバックホールリンク上において、ｍｍＷレイヤ上で行われる。これが、このスケジューリングがクロスレイヤスケジューリングと呼ばれる理由である。
【００５３】
クロスレイヤスケジューリングは、ｍｍＷバックホール／アクセスリンクとＬＴＥリンクのＴＴＩの長さが等しくないので、ＬＴＥ  Ｒ１０システムのクロスキャリアスケジューリングと著しく異なる。ＬＴＥ  ＴＴＩは、複数のｍｍＷ  ＴＴＩに対応し、その結果、ＬＴＥサブフレームは、１つのｍｍＷサブフレームのｍｍＷ  ＴＴＩと等しい数のスケジューリングインスタンスを有することが必要である。フレーム構造に関連して上記で論じたように、セルラレイヤは、１つのサブフレーム内で、１つのｍｍＷサブフレームのＴＴＩの数と同じだけ頻繁にｍｍＷ送信をスケジューリングする。
【００５４】
ＬＴＥ  Ｒ１１標準は、ＴＳ３６．２１３に指定されているように、拡張物理ダウンリンク制御チャネル（ＥＰＤＣＣＨ）を導入した。ＥＰＤＣＣＨは、ＵＥ特有のサーチエリアに使用されるだけであり、物理制御フォーマットインジケータチャネル（ＰＦＩＣＨ）内でシグナリングされるものを越えて同じシンボル位置でＰＤＳＣＨおよびＤＬ基準信号と多重化される。開始位置は、ＲＲＣ専用シグナリング内のｅｐｄｃｃｈ−ＳｔａｒｔＳｙｍｂｏｌのより高いレイヤパラメータによって設定され、ＵＥは、開始位置からサブフレームの最後の位置まで各シンボル位置でＥＰＤＣＣＨを監視する。また、ＵＥは、専用ＲＲＣシグナリングを介して、ＰＲＢセット、ＰＲＢ対の数などを含むＥＰＤＣＣＨ物理リソースブロック（ＰＲＢ）構成を受信する。ＵＥは、ＥＰＤＣＣＨ候補監視、すなわちブラインド検出を、集約レベルの事前定義されたセットに従って正規のＰＤＣＣＨについて行うのと同様にして実施する。ＥＤＰＣＣＨは、ＤＣＨフォーマットの事前定義されたセットを担持する。
【００５５】
高レベルでは、クロスレイヤスケジューリング方式は、以下を含む。ＰＤＣＣＨは、ｍｍＷデータチャネルリソース割当ておよびスケジューリング情報を担持せずｍｍＷ制御チャネルに関する情報を担持する新しいＤＣＩ、たとえばアクセスリンクのためのｍｍＤＣＩおよびバックホールリンクのためのＢＨＤＣＩを担持する。この情報は、ｍｍＰＤＣＣＨまたはＢＨＰＤＣＣＨの位置および構成を指す。したがって、ブラインド検出は、ｍｍＰＤＣＣＨまたはＢＨＰＤＣＣＨ上で適用されない。
【００５６】
別の可能な方式では、ＲＲＣ専用シグナリングが、ｍｍＰＤＣＣＨまたはＢＨＰＤＣＣＨのリソース位置および構成を伝える。ブラインド検出は、ＥＰＤＣＣＨと同様の機構で、ｍｍＰＤＣＣＨまたはＢＨＰＤＣＣＨ上で適用される。しかし、１つのＥＰＤＣＣＨがシンボルのスパンの上で分散され、ＬＴＥサブフレームの終わりまで完全には復号されない。それに対して、ｍｍＰＤＣＣＨまたはＢＨＰＤＣＣＨは、各シンボル位置で完全には復号されることを必要とする。
【００５７】
第３の可能な方式では、ＲＲＣ専用シグナリングは、ｍｍＰＤＣＣＨまたはＢＨＰＤＣＣＨのリソース位置および構成を伝え、ブラインド検出は適用されない。ＰＤＣＣＨは、ｍｍＰＤＣＣＨまたはＢＨＰＤＣＣＨの復号をトリガするために新しいＤＣＩを担持する。このＤＣＩは、上記の第１の方式におけるＤＣＩと異なり、ｍｍＷ制御チャネルのためのスケジューリング情報もグラント情報も担持しないことに留意されたい。上記の方式の組合せが使用されてもよい。
【００５８】
第１のスケジューリング方式の一例が図５に示されている。ＦＤＤダウンリンクサブフレーム５００は、１ｍｓの持続時間を有し、ＰＤＣＣＨ領域５０２およびＰＤＳＣＨ領域５０４を含む。図５に示されている例では、ＰＤＣＣＨ領域５０２は、３つのＯＦＤＭシンボルＯＦＤＭ  Ｓｙｍｂｏｌ０〜２を含む。ＰＤＳＣＨ領域５０４は、１１個のＯＦＤＭシンボルＯＦＤＭ  Ｓｙｍｂｏｌ３〜１３を含むが、ＰＤＣＣＨ領域およびＰＤＳＣＨ領域のための他の数のシンボルが使用されてもよい。ＰＤＣＣＨは、新しいＤＣＩ、たとえばアクセスリンクスケジューリングのためのｍｍＤＣＩを担持する。ｍｍＤＣＩは、ｍｍＰＤＣＣＨの位置および構成を指す情報を担持する。図５に示されているように、ＰＤＳＣＨと多重化されるｍｍＰＤＣＣＨは、ｍｍＰＤＳＣＨのためのスケジューリング情報を担持する。ｍｍＷアクセスダウンリンクサブフレーム５０６は、１０個のタイムスロットに分割された１ｍｓ持続時間を有し、各タイムスロットは、１００μｓ持続時間を有する。ＰＤＳＣＨ領域内の１０個のＬＴＥ  ＯＦＤＭシンボルは、１０個のｍｍＰＤＳＣＨタイムスロットのためのスケジューリング情報を担持する。
【００５９】
本発明のＬＴＥ  ＤＣＩについて、後続のセクションで詳細に論じられている。図６の破線によって示されているように、ｍｍＷアクセスリンクのためのＬＴＥ  ＤＣＩ（ｍｍＤＣＩ）がＬＴＥサブフレーム６００のＰＤＣＣＨ領域６０２に追加され、（ｍｍＰＤＣＣＨと多重化される）ＰＤＳＣＨ領域６０４の領域を示す。図６における示されている領域ＯＦＤＭ  Ｓｙｍｂｏｌ３〜１２は、ｍｍＷアクセスリンク上のＵＥのために、複数のｍｍＷ  ＴＴＩをその間隔内でスケジューリングするために使用される。
【００６０】
ｍＵＥがネットワークに関連付けられているとき、それは指定された無線ネットワーク一時識別子（ＲＮＴＩ）をＰＤＣＣＨ復号の際に使用し、それのために意図されたＰＤＣＣＨ  ＤＣＩを検出する。ｍｍＤＣＩは、ｍＵＥがｍｍＰＤＣＣＨを復号するために必要とするシンボル位置、ＰＲＢ割当て、サブフレーム番号などを含む。また、ｍｍＤＣＩは、ｍｍＰＤＣＣＨの周波数割当て、およびｍｍＰＤＣＣＨのトランスポートフォーマットを含む。
【００６１】
あるいは、またはそれに加えて、ｍｍＰＤＣＣＨ監視構成、たとえばシンボル位置、ＰＲＢの領域などがＲＲＣ専用シグナリング内でシグナリングされ、その結果、ｍＵＥは、どこでｍｍＰＤＣＣＨを監視するかが事前にわかる。しかし、ｍｍＰＤＣＣＨの監視は、ｍｍＤＣＩによって指令されてもよい。
【００６２】
エッジｍＢが遠隔無線ユニット（ＲＲＵ）のタイプであり、ｍｍＷ  ＡＦ動作がそのＲＲＵに関連付けられた複数のユーザのためのデータを担持する場合、ｍｍＤＣＩは、ＡＦルート内に含まれるｍＢだけでなく、中継される送信内でそのデータが多重化されるすべてのｍＵＥを含むグループのために意図される。したがって、ｍｍＤＣＩは、各ユーザがそのデータを識別するために、ユーザデータが送信内でどのように多重化されるかについてさらなる情報、たとえば各ユーザの周波数リソース割当てを提供する。
【００６３】
ｍＢ／ｍＵＥは、チャネルを監視し、ｍｍＷアクセスダウンリンク／アップリンク送信のグラントおよびスケジューリングを含むｍｍＷアクセスリンクスケジューリング情報など、制御メッセージを受信する。ｍＢ／ｍＵＥは、ＰＤＣＣＨ  ＤＣＩを介してＰＤＳＣＨ領域内のｍｍＰＤＣＣＨの位置を学習し、ＬＴＥ  ＯＦＤＭシンボル当たり、その完全なｍｍＷ制御メッセージを復号する。
【００６４】
ｍｍＰＤＣＣＨは、ｍＵＥがｍＢからアクセスリンクを受信するために必要とされる情報を有する以下のフィールド、すなわち、アップリンク／ダウンリンクフィールド（１ビット）、完全ｍＢＩＤフィールド（７ビット）、その特定のｍＢに関連付けられたｍＵＥのインデックスを含むＵＥＩＤ＿ｍＢＩＤフィールド（７ビット）、ＭＣＳフィールド（５ビット）チャネルフィールド（２ビット）、およびＵＬ  Ｔｘ電力フィールド（これは、最後に受信されたＴｘ電力フィールドに対する増大／減少を示す１ビットフィールドであっても、２０ｄＢｍより高い最大を有する電力レベルの絶対値を収容するための５ビットフィールドであってもよい）を有する。１／３レート畳み込み符号化の場合、このコンテンツのためにおおよそ５つのＰＲＢが必要とされる。この情報には、保護のためにいくつかの巡回冗長検査（ＣＲＣ）ビットが添付される。
【００６５】
あるいは、ｍｍＰＤＣＣＨは、ＣＲＣ８ビットと共に合計約３０〜３２ビットの下記のフィールド、すなわち、アップリンク／ダウンリンクフィールド（１ビット）、ＰｏＰ当たりのｍｍＷセッションにおけるＵＥの最大数を含むマクロセルフィールド内のｍｍＷ  ＵＥＩＤ（８〜１０ビット）、およびＰｏＰ当たり最大１２８個のｍＢを含むエッジｍＢのｅＮＢ  ＩＤ（７ビット）、ＭＣＳフィールド（４ビット）、チャネルフィールド（２ビット）、およびＣＲＣフィールド（８〜１６ビット）を担持する。
【００６６】
ｍｍＰＤＣＣＨは、ＰＤＣＣＨ内のｍｍＤＣＩによって、または専用ＲＲＣシグナリングを介して半静的にスケジューリングされても、動的にスケジューリングされてもよい。ｍｍＰＤＣＣＨは、ＰＲＢの連続的なセットにマッピングされても、（たとえば、周波数ダイバシティのために）ＰＤＳＣＨ領域の上で分散されてもよい。したがって、ネットワークは、ｍｍＰＤＣＣＨをＰＤＳＣＨで、またシンボル位置上で周波数領域内のダウンリンク基準信号で互い違いに配置する。したがって、１つのシンボル位置で収容することができるｍｍＰＤＣＣＨの数は、ｍｍＰＤＣＣＨペイロード、システム帯域幅、基準信号構成、セル負荷などに応じて可変である。
【００６７】
図７は、ｍＢのためのｍｍＷ送信／受信スケジューリングを示す。１つのＬＴＥサブフレーム７００は、ＰＤＣＣＨ領域７０２、およびＰＤＳＣＨ領域７０４を含む。ＰＤＳＣＨ領域は、ｍｍＷサブフレーム７０６内のｍｍＰＤＳＣＨタイムスロットのためのスケジューリング情報を含む。図７に示されているように、制御メッセージとｍｍＷ送信／受信が行われるときとの間に固定の時間オフセット７０８がある。すなわち、制御メッセージのタイプおよび時間位置が、対応するｍｍＷ  ＴＴＩを一意に定義する。割当てのためのオフセット（ｍｍＷ  ＤＬ）は、グラントのための（ｍｍＷ  ＵＬ）とは異なる。たとえば、グラントのためのオフセットは、ｍＵＥがｍｍＷ  ＵＬパケットを準備するための時間を有するように、割当てのためのオフセットより長い。ｍｍＰＤＣＣＨは、ｍｍＷ  ＴＴＩ（たとえば、１００μｓ）に比べてより小さい分解能割当て（ｍｍＷスロット）を含む、ｍｍＷ送信のためのタイミング情報（タイミングビットマップなど）をも担持する。タイミングビットマップは、複数のｍｍＷスロットを様々な時間でスケジューリングする。
【００６８】
セルラレイヤは、エッジｍＢからＰｏＰノードへ／ＰｏＰノードからエッジｍＢへ、バックホールの上でＡＦ動作のためにｍｍＷレイヤ上でスケジューリングおよびルーティングをも実施する。バックホールのための新しいＬＴＥ  ＤＣＩ（ＢＨＤＣＩ）が追加され、ＢＨのためのその間隔内で複数のｍｍＷ  ＴＴＩについてスケジューリングを実施するために使用されるＰＤＳＣＨ（ＢＨＰＤＣＣＨ）の領域を示す。ＢＨＤＣＩは、ＢＨＰＤＣＣＨの周波数割当て、およびＢＨＰＤＣＣＨのトランスポートフォーマットを示す。あるいは、ＢＨＤＣＩは、ｍｍＤＣＩとマージされ、ＬＴＥ  ＰＤＣＣＨ  ＤＣＩの１つのタイプを共有してもよい。
【００６９】
ＢＨＤＣＩは、対応するＢＨＰＤＣＣＨをリッスンするべきｍＢのｍＢ＿ＩＤを含む。ｍＢ＿ＩＤは、明示的にシグナリングされても、１または複数のｍＢグループＩＤとして送られても、ｍＢグループＩＤと個々のｍＢ＿ＩＤの組合せとして送られてもよい。ｍＢの異なるグループがリッスンしている複数の異なるＢＨＰＤＣＣＨを示す複数のＢＨＤＣＩがある。
【００７０】
単一のｍＢまたはｍＢのグループは、ＬＴＥスケジューリング間隔内でｅＮＢからＡＦスケジューリング情報を受信する。ｍＢのグループは、それらのＢＨＰＤＣＣＨ内の情報を同時に受信し、後続の同じｍｍＷ  ＴＴＩ内でＡＦパケット送信が行われることを期待する。スケジューリングインスタンスとパケット送信の間のレイテンシは、図７に示されているように、事前定義されたＬＴＥ−ｍｍＷタイミングオフセット７０８によって補償される。さらに、ｍＢのＬＴＥ基準タイミング間の差、ｍＢ間の伝播遅延、およびＲＦチェーン処理遅延（ｎｓ程度）は、ガード時間設計内に寸法設定される。
【００７１】
各ｍＢは、独立して、またはグループの一部として、そのスケジューリング情報を受信したとき、そのスケジュールに従ってｍｍＷ無線送信リソースを初期化する。これは、最後のｍＢノードから受信するようにその受信（Ｒｘ）ビームを、また次のｍＢノードに送信するようにその送信（Ｔｘ）ビームを操向することによってＡＦ中継の準備をすることを含む。ルートのメンバｍＢすべてのインデックスがスケジューリング情報内に含まれる。なぜなら、ｅＮＢおよびすべてのｍＢが、共通の参照のためにユニバーサルｍＢ隣接局リストを維持するからである。スケジューリング情報は、各リンクについて、受信時間、受信アンテナパターン、受信用の周波数チャネル、送信時間、送信アンテナパターン、送信用の周波数チャネル、および送信電力をも含む。各ｍＢはまた、そのＲＦ処理チェーンを、スケジューリングされたパラメータ、たとえばチャネルおよび電力で構成する。準備は、パケットがｅＮＢから送信され、同じｍｍＷ  ＴＴＩ内で最後の中継ノードによって受信されることを確実にする。これは図７に示されており、パケット７１０が、単一のＴＴＩ（Ｔｉｍｅ  Ｓｌｏｔ０）内で３つの他のｍＢ７１４〜７１８を介してｅＮＢ７１２からｍＢ４  ７２０に中継される。図７に示されているように、各ｍＢは、パケット全体を受信する前にパケットを送信し始める。したがって、セルラレイヤ上で行われるＡＦ中継スケジューリングによって、非常に低いレイテンシの送信を達成することができる。
【００７２】
ＢＨＰＤＣＣＨは、ＢＨＰＤＣＣＨをリッスンしているｍＢすべてに対して、いつ、どのようにＢＨネットワークを通じてＡＦアクションを実行するかを示す制御メッセージのシーケンスである。ノード（ｍＢ）すべてがネットワークのトポロジ、したがってそれらの隣接局ＩＤを知っていると仮定される。ＢＨＰＤＣＣＨは、以下の情報、すなわち、ｍＢ＿ＩＤ、受信ビームの方向、すなわちそこからの送信を受信すべきノードのＩＤ、受信送信のチャネル、送信ビームの方向、すなわちそこへ送信するノードのＩＤ、送信するチャネル、送信するための電力、およびトレーニングフィールドを送信に追加するか否かのインジケーション（これは、次のホップ受信機によって、サウンディング、または初期のタイミング回復を助けるために使用される）。
【００７３】
あるいは、ＢＨＰＤＣＣＨは、すべてのｍＢがＢＨトポロジを知っており、ネットワーク内のｅＮＢおよびｍＢのための隣接局リストを有する仮定して、下記の情報を担持する。したがって、ｍＢは、ＬＴＥ内のＲＲＣを介してシグナリングされる隣接局インデックスを知っている。この場合、ＢＨＰＤＣＣＨは、以下の情報、すなわち、アップリンク／ダウンリンクインジケーション（１ビット）、およびホップの数（２〜３ビット；最大許容ホップが４の場合には２ビット。あるいは、０ビットが使用され、ＡＦチェーンの終わりを示すために１インデックス値が予約されてもよい。）を担持する。ＢＨＰＤＣＣＨ情報は、ホップ１（２〜３ビット）のリンクを定義するｅＮＢの隣接局リスト内へのインデックスをさらに含む。ホップ１は、ｅＮＢと第１のｍＢ（ｍＢ１）との間のリンクであり、したがってｅＮＢの隣接局リスト内でｍＢ１のインデックス値によって示される。ＢＨＰＤＣＣＨ情報は、ホップ１チャネル（６０ＧＨｚ帯域について２ビット）、ホップ２（２〜３ビット）のためのリンクを定義するｍＢ１の基地局隣接局リスト内へのインデックス、ホップ２チャネル（６０ＧＨｚ帯域について２ビット）、最後のＢＨホップ（ホップ当たり４〜５ビット）まで、ホップ３、ホップ４などのためのフィールドをさらに含む。また、ＢＨＰＤＣＣＨは、以下の追加情報、すなわち、エッジｍＢによって使用されるＵＥ＿ＩＤ（サポートされるＵＥの数が１２８未満である場合、７ビット）、パディング（ホップの数に応じて０から１６〜２０ビット）、およびＣＲＣ（８〜１６ビット）を担持する。他の可能なフィールドは、リンクパイロットフィールドおよびリンクサウンディングおよびリンク間を通る他の制御メッセージのために使用される制御フィールド（１ビット）、ビーム洗練フィールド（１ビット）、ｍｍＰＤＣＣＨが必要とされないことを示し、しかしＭＣＳがより低くなる傾向があるのでＢＨが能力未満で動作されることを暗示するＵＥのための延長フィールド、ＭＣＳフィールド（４ビット）、およびチャネルフィールド（２ビット）を含む。４つまたは５つの隣接局ではＢＨＤＰＣＣＨペイロードは、符号化前で、それぞれ３４ビットまたは４１ビットである。
【００７４】
ＢＨＰＤＣＣＨは、ＰＤＣＣＨによって、またはＲＲＣシグナリングによって、半静的にスケジューリングされても、動的にスケジューリングされてもよい。ｍｍＤＰＣＣＨと同様に、ＢＨＰＤＣＣＨは、ＰＲＢの連続的なセットにマッピングされても、（たとえば、周波数ダイバシティのために）ＰＤＳＣＨ領域の上で分散されてもよい。
【００７５】
制御メッセージとｍｍＷ  ＡＦアクションが行われるときとの間に固定の時間オフセットがある（すなわち、制御メッセージのタイプおよび時間位置が、対応するｍｍＷ  ＴＴＩを一意に定義する）。ｍｍＷ  ＤＬ  ＡＦアクションのためのオフセットは、ｍｍＷ  ＵＬ  ＡＦアクションのためのオフセットとは異なっており、ＵＥまたはｍＢがＵＬトラフィックのソースであるかどうかに依存する。たとえば、ＵＬのためのオフセットは、ソースがｍｍＷ  ＵＬパケットを作成するための時間を有するように、ＤＬのためのオフセットより長い。ＵＥは、そのようなパケットを作成するために、ｍＢとは異なる時間量を必要とする。
【００７６】
あるいは、ＢＨＰＤＣＣＨは、ｍｍＷ  ＴＴＩ（たとえば、１００μｓ）に比べてより小さい分解能（ｍｍＷスロット）を含む、ｍｍＷ送信のためのタイミング情報（たとえば、タイミングビットマップ）を担持する。タイミングビットマップは、複数のｍｍＷスロットを様々な時間でスケジューリングする。
【００７７】
ＢＨＤＣＩとｍｍＤＣＩは、エンドツーエンドＤＣＩ（ｅ２ｅＤＣＩ）に組み合わされ、単一のｅ２ｅＰＤＣＣＨでエンドツーエンドスケジューリングを提供する。ｅ２ｅＰＤＣＣＨは、ＢＨＰＤＣＣＨとｍｍＰＤＣＣＨの組み合わされた情報を含む。ｍＵＥ部とｍＢ部は、それぞれが、パケットの配信に必要とされないメッセージの部分を復号する必要がないように、異なるフィールド内にある。エンドツーエンド肯定応答／否定応答（ＡＣＫ／ＮＡＣＫ）メッセージングは、セルラキャリア上でシグナリングされるｍｍＷ  ＡＣＫ／ＮＡＣＫによって行われるか、またはｍｍＷ  ＵＬ上でピギーバックされる。セルラキャリア上でシグナリングされるＡＣＫ／ＮＡＫについては（たとえば、ｍｍＷ  ＵＬが存在しないとき）、ｍｍＷパケットを受信するＤＬ端末ノードは、ＡＣＫ／ＮＡＣＫをＰＵＣＣＨ（または、任意選択で、端末ノードが、ＵＬ用にＰＵＳＣＨを使用するｍＵＥである場合、ＰＵＳＣＨ）上で送る。最後のＡＣＫ／ＮＡＣＫ以来、複数のｍｍＷ送信が受信されているので、ｍｍＷ  ＡＣＫ／ＮＡＣＫはバンドルされ、セルラＡＣＫ／ＮＡＣＫでさらにバンドルされる。受信されたｍｍＷパケットすべてが肯定応答された場合、バンドルされたＡＣＫは、パケットの数を示し、その結果、送信側は、ｍｍＰＤＣＣＨメッセージが検出されなかったかどうか決定する。ｍｍＷキャリア上でシグナリングされるＡＣＫ／ＮＡＫについては、ＡＣＫ／ＮＡＣＫが送られることを必要とする、同時にスケジューリングされたＵＬグラントを、端末ノードが有する場合、そのＡＣＫ／ＮＡＣＫは、ＰＵＳＣＨ／ＰＵＣＣＨ上で送られるのではなく、ｍｍＷ送信に追加される。
【００７８】
ｍＢ／ＢＨ候補ノードのための初期化プロセスが図８に示されている。ｍＢ／ＢＨ候補ノードは、オンになったとき、最初にＵＥとして登録し、ｍｍＷ  ＢＨ機能を有することを示す（ステップ８００）。候補ノードおよび／またはネットワークは、その位置を推定する（ステップ８０２）。中央ノードは、チャネル位置およびＢＷ、ｍｍＷ／セルラＴＴＩ比、推定された最も近い隣接局でのセルラ−ｍｍＷ  ＴＴＩオフセットなど、ｍｍＷレイヤについての基本情報を提供する（ステップ８０４）。候補ノードは、ｍｍＷレイヤ構成に関する能力情報を提供する（たとえば、リストされているどのチャネルがサポートされるか、ビームサーチで形成することができるビームの数、およびいくつかのアンテナアレイ）（ステップ８０６）。
【００７９】
中央ノードは、候補ノードの範囲（候補隣接局リスト）内にあり得るＢＨノードのセットを推定する。中央ノードは、ビームサーチスケジュールをＢＨノードおよび候補ノードに提供する（８０８）。スケジュールは、セルラＲＲＣシグナリングによって提供される。候補ノードに提供されるスケジュールは、他のＢＨノードについてリッスンするｍｍＷチャネルおよびＴＴＩ、Ｔｘビーム持続時間、ならびにビームスイープ期間（たとえば、候補隣接ノードがそれらのＴｘビームをＴ秒内でスイープする場合には、候補ノードは、そのＲｘビームのそれぞれをＴ秒間、気にかけるはずである）を含む。候補隣接局リスト内のノードに提供されるスケジュールは、ビームスイープを送信するｍｍＷチャネルおよびＴＴＩ、Ｔｘ電力、およびビームスイープの詳細（たとえば、ｍｍＷ  ＴＴＩ当たりスイープするビームの数、およびスイープするビームの総数）を含む。
【００８０】
候補ノードは、ビームサーチスケジュールに従って送信するためにリッスンする（ステップ８１０）。ビームサーチ段階が完了した（すなわち、サーチスケジュールが満了した）後で、候補ノードは、セルラＲＲＣシグナリングを介して中央ノードにシグナリングする（ステップ８１２）。候補ノードは、検出された各ビームの信号強度、および関連のＢＨノードＩＤを示す。あるいは、これらのサブセット、たとえば、何らかの閾値より上方で検出された各ＢＨノードからの最も強いビームが、Ｋ  ＢＨ  ＩＤの最大までレポートされる。
【００８１】
中央ノードは、示されたＢＨノードのサブセットを、新しいノードのための隣接局リストとして選択し（すなわち、これはいま、トポロジに追加されるべきリンクである）、セルラＲＲＣシグナリングを介して新しいノードおよび隣接局をシグナリングする（ステップ８１４）。このメッセージは、新しいリンクの各端部におけるノードＩＤと、各リンクについて使用するための現在好ましいビーム（これは、隣接局だけのためのもの）とを含む。
【００８２】
新しいリンクが追加された後で、各リンクは、ビーム方向をよりよく位置合わせするために任意選択の初期ビーム洗練を受けてもよい。新しいリンクは、サウンディングスケジュール（ＢＨリンクサウンディングおよびエンドツーエンドサウンディング）に追加される。リンクメトリクスおよびエンドツーエンドチャネル品質が中央ノードによって知られた後で、新しいノードは、ｍｍＷ制御チャネルを介してスケジューリングされる（ステップ８１６）。干渉マトリクスを使用し、中央コントローラがルートを識別する助けとし、おそらくは、予想された干渉の場合、ＭＣＳ選択をディレーティングする。最後に、候補ノードは、スケジュールに基づいてｍｍＷ制御チャネルを介してデータパケットを中継する（ステップ８１８）。
【００８３】
エッジｍＢノードは、別のｍＢへの少なくとも１つのｍｍＷ  ＢＨリンクと、ｍＵＥへのｍｍＷアクセスリンクとを有する。エッジｍＢノードは、データパケットを受信し、それらのパケットを復号し、それらを再符号化し、それらを再送信する。データパケットの受信および再送信は、異なるＭＣＳ、および異なるサブフレーム当たりのＴＴＩの数を使用する。以下は、ＢＨリンク上で到達したデータを配信するためにＢＨ  ＴＴＩの２倍のアクセスリンクＴＴＩが使用される一例である。ｍＵＥ１、３、５、７は、ｍＢ１によるサービスを受け、一方、ｍＵＥ０、２、４、６は、ｍＢ２によるサービスを受ける。
【００８４】
ｍＢ１へのＢＨリンクは、それによるサービスを受けるＵＥ（ＵＥ１、３、５、７）のために意図されるデータを受信するために、ｍｍＷ  ＴＴＩ１、３、５、７を使用する。これは、ＢＨにおけるｍｍＷ  ＴＴＩの半分である。ｍＢ２へのＢＨリンクは、それによるサービスを受けるＵＥ（ＵＥ０、２、４、６）のために意図されるデータを受信するために、ｍｍＷ  ＴＴＩ０、２、４、６を使用する。これもまた、ＢＨにおけるＴＴＩの半分である。ｍＢ１は、ｍｍＷ  ＴＴＩ２、３をＵＥ１のために、ＴＴＩ４、５をＵＥ３のために、ＴＴＩ６、７をＵＥ５のために、またＴＴＩ０、１（次のフレームのもの）をＵＥ７のために使用する。したがって、アクセスリンクでは、すべてのＴＴＩが使用される。ｍＢ２は、ｍｍＷ  ＴＴＩ１、２をＵＥ０のために、ＴＴＩ３、４をＵＥ２のために、ＴＴＩ５、６をＵＥ４のために、またＴＴＩ７、０（次のフレームのもの）をＵＥ６のために使用する。この場合も、すべてのアクセスリンクＴＴＩが使用される。
【００８５】
この例では、ＢＨリソースは、２つのｍＢ間で（それぞれ５０％のデューティサイクルで）共有され、各ｍＢは、そのＵＥにデータを転送するために１００％のそのアクセスリンクリソースを使用する。したがって、アクセスリンクにおけるコードレートは、ＢＨにおける過去のコードレートの半分である。
【００８６】
上記のように、チャネル品質インデキシング（ＣＱＩ）は、新しいｍＢの初期化の一部であってもよく、また上記で詳述したように、初期化後、ｍｍＷ  ＢＨリンクをスケジューリングする際に役割を果たしてもよい。以下の段落は、エンドツーエンドサウンディング、およびｍｍＷバックホールシステムにおける変調符号化方式（ＭＣＳ）選択について考える。チャネル品質は、データ送信、またはサウンディング信号に基づく。ＡＦ技法では、ソースによって送信されるトレーニング／パイロットシンボルは、データと同じようにして増幅転送され、したがって、エンドツーエンド品質推定のための良好な基準である。エンドツーエンド送信（ＢＨとアクセスリンクの場合についてはＵＥからＰｏＰもしくはＰｏＰからＵＥ、またはＢＨだけの場合、ｍＢからＰｏＰもしくはＰｏＰからｍＢ）では、パイロットは、データの受信のために使用されるが、ＣＱＩ推定のためにも使用される。ＵＥは、ＰＵＣＣＨ（または、ＰＵＳＣＨがＵＬ用に使用される場合、任意選択でＰＵＳＣＨ）上での最後のデータ受信に対応するｍｍＷ  ＣＱＩを、ｍｍＷデータのＡＣＫ／ＮＡＣＫと共に送るように構成される。ＰｏＰへのＵＥまたはｍＢ送信もまた、パケットの受信のために使用されるトレーニング／パイロットを含み、チャネル品質推定のために使用される。これらのエンドツーエンドチャネル品質推定を使用し、ＵＬグラントのためのＭＣＳを計算する。
【００８７】
また、トレーニング／パイロット信号は、エンドツーエンドチャネル品質推定のために明示的にスケジューリングされてもよい。図９は、スケジューリングされたルートの上でのエンドツーエンドチャネルサウンディング手順の一例を示す。ｅＮＢ９００は、パイロットのＡＦ送信を、複数の他のｍＢ９０２、９０４を介して、最後の中継ノード９０６に送る。パイロットは、ｍｍＷ  ＢＨリンク９１０の上で送られる。次いで、パイロットは、ｍｍＷアクセスリンク９１２の上でｍＵＥ９０８に送信される。ｍＵＥ９０８は、セルラリンク９１４を使用し、パイロット測定値を含むサウンディングレポートをｅＮＢ９００に送る。ｅＮＢ９００は、サウンディングレポートを受信した後で、そのレポートに基づいて更新されたｍｍＷ中継スケジュールを送信する。トレーニング／パイロット信号は、ユーザデータを含まなくてもよい（何らかの制御情報、たとえばいつどのように対応するＣＱＩをレポートするかが含まれる）。ｍｍＷサウンディングＴＴＩは、ｍｍＷデータＴＴＩより短い。たとえば、ｍｍＷデータＴＴＩ当たり複数のｍｍＷサウンディングＴＴＩがある。サウンディング（および適切なときにはＣＱＩレポーティング）は、ＢＨ  ＡＦアクションでスケジューリングされる。
【００８８】
半静的なｍｍＷサウンディング／レポーティングのためには、ｍｍＷサウンディングＴＴＩは、他のより高い優先順位のタスク（たとえば、データ送信）によってオーバーライドされるバックグラウンドタスクとしてスケジューリングされる。半静的なｍｍＷサウンディングは、セルラレイヤ内でＲＲＣメッセージングを介してスケジューリングされる。ＤＬチャネルについては、サウンディングは、双方向交換（サウンディング信号とそれに続くＣＱＩレポート）からなる。ＣＱＩレポートは、サウンディング信号と同じルート上で送られるが、反対方向である。次いで、ＣＱＩレポートは、ＵＬにおいてエンドツーエンドチャネル品質を評価するために使用される（すなわち、ＰｏＰノードは、ＵＬおよびＤＬにおけるチャネル品質について学習する）。ＵＬだけのチャネルサウンディングについては、チャネル品質推定は、サウンディング信号送信機にレポートして返されることを必要としない。ＵＬサウンディングは、応答が必要とされないので、より短い時間しかかからない。余分な時間は、より密度の高いサウンディングに、または他の情報を担持するために使用される。ＵＬサウンディング送信は、バッファステータスレポート（ＢＳＲ）のような追加の制御情報を含んでもよい。
【００８９】
動的なｍｍＷサウンディング／レポーティングのためには、ｍｍＰＤＣＣＨ／ＢＨＰＤＣＣＨ内のサウンディングメッセージが、サウンディングを初期化するためにも使用される。サウンディングのためのＢＨ  ＡＦアクションメッセージのコンテンツは、データのためのメッセージと同様であり、以下、すなわち、ｍＢ＿ＩＤ、受信ビームの方向（すなわちそこからの送信を受信すべきノードのＩＤ）、ｍｍＷ受信送信のチャネル、送信ビームの方向（すなわちそこへ送信するノードのＩＤ）、送信するｍｍＷチャネル、送信するための電力、トレーニングフィールドを送信に追加するか否かのインジケーション、サブＴＴＩ（サウンディング期間がデータ期間より短い場合、サブＴＴＩは、対応するＴＴＩのどの部分内にＡＦアクションを配置するかを示す）、およびＵＬ／ＤＬインジケータ（ＤＬは、スケジューリングに対するＣＱＩ応答を担持するために、ＡＦミラーを逆転するべきであることを示す）を含む。
【００９０】
サウンディングのためのｍｍＰＤＣＣＨのコンテンツは、ＵＥ＿ＩＤ、ｍＢ＿ＩＤ、Ｔｘ／Ｒｘインジケータ、送信電力（サウンディング送信用）、ｍｍＷチャネルインジケータ、サブＴＴＩ、およびｍｍＷ  ＣＱＩレポートを含む。
【００９１】
バックホールリンクサウンディングが、ｍＢ−ｍＢリンクの品質を測定するために使用され、一方、それは主にルーティングのために使用されるが、スケジューリングおよびＭＣＳ選択の際の助けにもなる。図１０は、ｍｍＷメッシュネットワークの個々のバックホールリンクのチャネルサウンディングを示す。ｅＮＢ１０００は、セルラリンク１０２０の上でバックホールリンクサウンディングをスケジューリングする。次いで、パイロットがＢＨリンク１０２２の上でＡＦ送信を介してｍＢ１００２〜１０１８間で送信される。ｍＢ１００２〜１０１８は、セルラリンク１０２０を使用し、パイロット測定値をｅＮＢ１０００にレポートする。ｅＮＢ１０００は、レポートを受信した後で、そのレポートに基づいて更新されたｍｍＷ中継スケジュールを送信する。
【００９２】
バックホールリンクサウンディングは、エンドツーエンドの半静的なｍｍＷサウンディング／レポーティングと共に半静的にスケジューリングされる。ＢＨ  ｍｍＷサウンディングＴＴＩは、他のより高い優先順位のタスク（たとえば、データ送信）によってオーバーライドされるバックグラウンドタスクとしてスケジューリングされる。半静的なｍｍＷサウンディングは、セルラレイヤ内でＲＲＣメッセージングを介してスケジューリングされる（これは、エンドツーエンドサウンディングと競合せず、または１つのプロセスが他のプロセスに優る優先順位を与えられる）。セルラレイヤ上の半静的なＰＵＳＣＨグラントがノードに割り当てられ、ＢＨリンク品質メトリクスをＰｏＰノードに提供する。ＰＵＳＣＨグラントは、複数のｍＢによって共有され、複数のＰＵＳＣＨのメッセージが、ＰＵＳＣＨ  ＲＢ内でＣＤＭＡ／ＴＤＭＡ／ＦＤＭＡによって分離される。
【００９３】
アクセスリンクサウンディングが、ｍｍＷ対応のＵＥでｍｍＷアクセスリンク品質を測定するために使用される。サービングｍＢとｍＵＥとの間のサウンディングのために、サービングｍＢとそのｍＵＥは、ＰｏＰへの、またはＰｏＰからのメッセージが担持されないときでさえ、定期的な制御メッセージを交換する。これらのメッセージは、移動アクセスリンク維持のために使用される。中央ノード（たとえば、ＰｏＰノード）は、アクセスリンクビーム追跡スケジュールを各ｍＢに提供する。ビーム追跡スケジュールは、どのｍｍＷ  ＴＴＩ内のどのｍＵＥを使用し、ビーム追跡更新および干渉測定を実施するべきかを示す。チャネル品質は、ビーム追跡更新中に評価される。最も近いチャネル品質評価が、アクセスリンクＣＱＩレポーティングのために使用される。
【００９４】
ｍＢは、ＰＵＳＣＨを介してＰｏＰにアクセスリンクＣＱＩをレポートする。アクセスリンクＣＱＩレポーティングは、永続的なＰＵＳＣＨスケジュールを介してスケジューリングされる。また、ｍＢは、たとえばｍＵＥが次のスケジューリングされたＣＱＩレポートの前にハンドオーバを必要とする場合、アクセスリンクＣＱＩレポートを開始する。このレポートは、セルラリンク上で通常のサービス要求（ＳＲ）によって開始されてもよく、他のＵＬ送信上でピギーバックされてもよい。レポートを受信するｅＮＢは、そのレポートに基づいて更新されたｍｍＷ中継スケジュールを送信する。
【００９５】
隣接ｍＢとｍＵＥとの間のサウンディングは、非周期的なＣＱＩレポートを開始するための誘因が異なることを除いて、サービングｍＢとｍＵＥとの間と同じである。たとえば、そのレポートを使用し、低いＣＱＩを有するｍＵＥは特定のｍＢにハンドオフされるべきでなく、そのｍＢは、そのｍＵＥの隣接局リストから除去される可能性があることを示す。
【００９６】
図２に関連して以前に論じたように、低レイテンシｍｍＷシステムは、純粋なバックホール解決策として働き、ファイバ送信と同様にしてマルチアクセスユーザデータをエッジｍＢに搬送する。エッジｍＢとエンドユーザ、たとえばＵＥまたはｍＵＥとの間のアクセスリンクのエアインターフェースに応じて、エッジノードは、復号および転送（ＤＦ）を実施する。ｅＮＢは、ｍｍＤＣＩ内でのバックホールリンクのスケジューリングと共にマルチアクセスユーザデータ送信をスケジューリングし、スケジューリングされたユーザは、逆多重化されたデータを受信することを開始する前に、事前定義されたＤＦ関連の遅延を考慮する。あるいは、ｅＮＢはエッジｍＢへのＡＦ送信をスケジューリングするだけであり、エッジｍＢがＤＦを、またフロー制御を適用し、逆多重化されたデータを独立してスケジューリングしてもよい。
【００９７】
単一のユーザのために低レイテンシｍｍＷシステムを適用する場合、アクセスリンク容量はバックホールリンク容量より実質的に低く、フロー制御およびバッファリングは、ＤＦプロセス後に適用される。このシナリオでは、アクセスリンクとＢＨリンクにおけるｍｍＷ  ＴＴＩの使用は、切り離される。
【００９８】
エッジｍＢ内でのＤＦをサポートするために、エッジｍＢへのｍｍＰＤＣＣＨ／ＢＨＰＤＣＣＨメッセージは、追加情報を含み、あるいは、エッジｍＢは、サービスを受けるＵＥのｍｍＰＤＣＣＨをリッスンする。この情報は、ＢＨ  ＭＣＳ、アクセスリンクＭＣＳ、およびＢＨ  ＴＴＩ当たりいくつかのアクセスリンクｍｍＷ  ＴＴＩを含む。３つの情報（ＢＨ  ＭＣＳ、アクセスＭＣ、ＢＨ当たりのアクセスリンクｍｍＷ  ＴＴＩの数）のうちの２つだけが必要とされることに留意されたい。また、この情報は、所与のパケットのためのＢＨおよびアクセスＴＴＩ間の時間を示すＢＨ−アクセスオフセットを含む。
【００９９】
本明細書に記載の実施形態では、ターゲットＵＥがｍｍＷ機能を有していないとき、最後のホップをセルラレイヤ上にすることも可能である。この場合、ｍｍＷレイヤは、ｍＢに対するバックホールを提供し、これは、小ＬＴＥセルとしても働く。エッジｍＢは、バックホールリンクを終了し、データをｍｍＷレイヤからセルラレイヤに変換するために復号し転送する（ＤＦ）。これはレイテンシを増大し、したがってシステム設計のために考慮されることを必要とする。ｍｍＷホットスポットアンダーレイシステムの考えられているＡＦ／ＤＦバージョンとＡＦ専用バージョンは共に、上述のシステム設計の大部分を共有する。ｍｍＷレイヤがＢＨを提供している場合、その小セルは、それ自体のスケジューラなどを有する正規のＬＥＴ  ｅＮＢであってもよい。あるいは、ｍｍＷレイヤが小セルに対するバックホールを提供している場合、その小セルは、（ローカルスケジューラなどを有していない）遠隔無線ユニットであってもよい。
【０１００】
図１Ａ〜１Ｄに示されている装置は、上述の機能を実施するように構成される。具体的には、ＷＴＲＵ１０２ａ〜１０２ｅ、ｍＢ１７２ａ〜１７２ｄ、図１ＤにおけるｅＮＢ１８５は、本明細書に記載の機能を実施するように構成される。
【０１０１】
上記では特徴および要素が特定の組合せで述べられているが、当業者なら、各特徴または要素を、単独で、または他の特徴および要素との任意の組合せで使用することができることを理解するであろう。さらに、本明細書に記載の方法は、コンピュータまたはプロセッサによって実行するためのコンピュータ可読媒体内に組み込まれるコンピュータプログラム、ソフトウェア、またはファームウェアで実施されてもよい。コンピュータ可読記憶媒体の例は、（有線接続または無線接続の上で送信される）電子信号、およびコンピュータ可読記憶媒体を含む。コンピュータ可読記憶媒体の例は、それだけには限らないが、読取り専用メモリ（ＲＯＭ）、ランダムアクセスメモリ（ＲＡＭ）、レジスタ、キャッシュメモリ、半導体メモリデバイス、内部ハードディスクや取外し式ディスクなど磁気媒体、光磁気媒体、ならびにＣＤ−ＲＯＭディスクおよびデジタル多目的ディスク（ＤＶＤ）など光媒体を含む。ソフトウェアに関連付けられたプロセッサを使用し、ＷＴＲＵ、ＵＥ、端末、基地局、ＲＮＣ、または任意のホストコンピュータ内で使用するための無線周波数トランシーバを実装してもよい。
実施形態
【０１０２】
１．低レイテンシｍｍＷバックホールシステムのための物理レイヤプロトコル（ＰＨＹ）設計のための方法であって、
【０１０３】
ｅＮＢと１または複数のｍＷＴＲＵ／ｍＢとの間のエンドツーエンド送信がｍｍＷバックホールを介してｍｍＷメッシュネットワークの複数のｍＢのスケジューリングされたルートを通じて遅延されることを可能にするステップと、
【０１０４】
低レイテンシおよび高スループットでセルラリンクを介してｅＮＢの制御下でｍｍＷリンクにアクセスするステップとを含むことを特徴とする方法。
【０１０５】
２．ミリメートルダウンリンク制御情報（ｍｍＤＣＩ）、バックホールダウンリンク制御情報（ＢＨＤＣＩ）、ミリメートル物理ダウンリンク制御チャネル（ｍｍＰＤＣＣＨ）、およびバックホール物理ダウンリンク制御チャネル（ＢＨＰＣＣＨ）を使用して、セルラレイヤ上でのダウンリンク物理レイヤシグナリングおよびより高いレイヤシグナリングからｍｍＷレイヤ上でｍｍＷアクセスリンクおよびバックホールリンクをクロスレイヤスケジューリングするステップをさらに含むことを特徴とする実施形態１に記載の方法。
【０１０６】
３．セルラレイヤからｍｍＷレイヤへのクロスレイヤスケジューリングを容易にするためにｍｍＷアクセスリンクおよびバックホールリンクのフレーム構造を含めるステップをさらに含むことを特徴とする実施形態１ないし２のいずれか一項に記載の方法。
【０１０７】
４．エンドツーエンドリンク適応およびｍｍＷレイヤルーティングを容易にするためにチャネル品質測定およびサウンディング手順を含めるステップをさらに含むことを特徴とする実施形態１ないし３のいずれか一項に記載の方法。
【０１０８】
５．増幅転送中継手順とｅＮＢおよび新しいミリメートルネットワークノードを同期するステップをさらに含むことを特徴とする実施形態１ないし４のいずれか一項に記載の方法。
【０１０９】
６．新しいミリメートルネットワークノードは、ｍＢおよびｍＷＴＲＵを含むことを特徴とする実施形態１ないし５のいずれか一項に記載の方法。
【０１１０】
７．ｍｍＷアクセスリンクフレーム構造を使用するステップをさらに含むことを特徴とする実施形態１ないし６のいずれか一項に記載の方法。
【０１１１】
８．１ｍｓサブフレームをロングタームエボリューション（ＬＴＥ）サブフレーム構造と位置合わせするステップをさらに含むことを特徴とする実施形態１ないし７のいずれか一項に記載の方法。
【０１１２】
９．クロスレイヤスケジューリングをさらに含むことを特徴とする実施形態１ないし８のいずれか一項に記載の方法。
【０１１３】
１０．ｅＮＢによってクロスレイヤスケジューリングを実施し、セルラレイヤ上でダウンリンク制御チャネル内で送信されるステップをさらに含むことを特徴とする実施形態１ないし９のいずれか一項に記載の方法。
【０１１４】
１１．ｍｍＷアクセスリンクおよびｍｍＷバックホールリンクのうちの少なくとも１つでｍｍＷレイヤ上での送信をスケジューリングするステップをさらに含むことを特徴とする実施形態１ないし１０のいずれか一項に記載の方法。
【０１１５】
１２．クロスレイヤスケジューリングは、新しいダウンリンク制御情報（ＤＣＩ）を担持するパケットデータ制御チャネル（ＰＤＣＣＨ）を含むことを特徴とする実施形態１ないし１１のいずれか一項に記載の方法。
【０１１６】
１３．クロスレイヤスケジューリングは、ｍｍＰＤＣＣＨまたはＢＨＰＤＣＣＨのリソース位置および構成を伝えるために無線リソース制御（ＲＲＣ）専用シグナリングを含むことを特徴とする実施形態１ないし１２のいずれか一項に記載の方法。
【０１１７】
１４．クロスレイヤスケジューリングは、ｍｍＰＤＣＣＨまたはＢＨＰＤＣＣＨの復号をトリガするために新しいＤＣＩを担持するＤＣＩを含むことを特徴とする実施形態１ないし１３のいずれか一項に記載の方法。
【０１１８】
１５．ｍｍＷアクセスリンクスケジューリングをさらに含むことを特徴とする実施形態１ないし１４のいずれか一項に記載の方法。
【０１１９】
１６．アクセスリンクスケジューリングは、ＬＴＥ送信時間間隔（ＴＴＩ）の持続時間の間使用されるＰＤＳＣＨの領域を示す、ＰＤＣＣＨに追加されたｍｍＷアクセスリンクのための新しいＬＴＥ  ＤＣＩに基づくことを特徴とする実施形態１ないし１５のいずれか一項に記載の方法。
【０１２０】
１７．アクセスリンクスケジューリングは、ｍＢ／ｍＷＴＲＵを使用して、チャネルを監視し、かつ制御メッセージを受信し、このメッセージは、グラントと、ｍｍＷアクセスダウンリンク／アップリンク送信のスケジューリングとを含むことを特徴とする実施形態１ないし１６のいずれか一項に記載の方法。
【０１２１】
１８．アクセスリンクスケジューリングは、ＷＴＲＵでのｍｍＷアクセスリンクＴｘ／Ｒｘスケジューリングを使用することを特徴とする実施形態１ないし１７のいずれか一項に記載の方法。
【０１２２】
１９．ｍｍＷバックホールスケジューリングおよびルーティングをさらに含むことを特徴とする実施形態１ないし１８のいずれか一項に記載の方法。
【０１２３】
２０．ｍｍＷバックホールスケジューリングおよびルーティングは、エッジｍＢからＰｏＰノードへ／ＰｏＰノードからエッジｍＢへ、バックホールの上でＡＦ動作のためにｍｍＷレイヤ上で実施されることを特徴とする実施形態１ないし１９のいずれか一項に記載の方法。
【０１２４】
２１．ｍｍＷバックホールスケジューリングおよびルーティングは、ｍＢに送られる制御メッセージのＢＨＰＤＣＣＨシーケンスを使用して実施され、このメッセージは、いつ、どのようにバックホール（ＢＨ）ネットワークを通じてＡＦアクションを実行するかを示すことを特徴とする実施形態１ないし２０のいずれか一項に記載の方法。
【０１２５】
２２．エンドツーエンドＤＣＩをさらに含むことを特徴とする実施形態１ないし２１のいずれか一項に記載の方法。
【０１２６】
２３．エンドツーエンドＤＣＩは、ＢＨＤＣＩおよびｍｍＤＣＩから形成されることを特徴とする実施形態１ないし２２のいずれか一項に記載の方法。
【０１２７】
２４．無線送信／受信ユニット（ＷＴＲＵ）は、単一のｅ２ｅＰＤＣＣＨでエンドツーエンドスケジューリングを提供するためにｍｍＷ対応のＷＴＲＵであることを特徴とする実施形態１ないし２３のいずれか一項に記載の方法。
【０１２８】
２５．エンドツーエンド肯定応答パケット（ＡＣＫ）／否定応答（ＮＡＣＫ）をさらに含むことを特徴とする実施形態１ないし２４のいずれか一項に記載の方法。
【０１２９】
２６．エンドツーエンドスケジューリング、チャネル品質改善（ＣＱＩ）、および変調符号化方式（ＭＣＳ）選択のうちの少なくとも１つをさらに含むことを特徴とする実施形態１ないし２５のいずれか一項に記載の方法。
【０１３０】
２７．エンドツーエンドサウンディングは、データ送信に基づくチャネル品質を含むことを特徴とする実施形態１ないし２６のいずれか一項に記載の方法。
【０１３１】
２８．エンドツーエンドサウンディングは、サウンディング信号に基づくチャネル品質を含むことを特徴とする実施形態１ないし２７のいずれか一項に記載の方法。
【０１３２】
２９．エンドツーエンドサウンディングは、動的なｍｍＷサウンディング／レポーティングを含むことを特徴とする実施形態１ないし２８のいずれか一項に記載の方法。
【０１３３】
３０．バックホールリンクサウンディングをさらに含むことを特徴とする実施形態１ないし２９のいずれか一項に記載の方法。
【０１３４】
３１．バックホールリンクサウンディングは、ｍＢ−ｍＢリンクの品質を測定することを特徴とする実施形態１ないし３０のいずれか一項に記載の方法。
【０１３５】
３２．バックホールリンクサウンディングは、エンドツーエンドの半静的なｍｍＷサウンディング／レポーティングと共に半静的にスケジューリングされることを特徴とする実施形態１ないし３１のいずれか一項に記載の方法。
【０１３６】
３３．アクセスリンクサウンディングをさらに含むことを特徴とする実施形態１ないし３２のいずれか一項に記載の方法。
【０１３７】
３４．アクセスダウンリンクサウンディングは、ｍｍＷ対応のＷＴＲＵにてｍｍＷアクセスリンク品質を測定することを特徴とする実施形態１ないし３３のいずれか一項に記載の方法。
【０１３８】
３５．アクセスダウンリンクサウンディングは、サービングｍＢからＷＴＲＵへのサウンディングから測定されることを特徴とする実施形態１ないし３４のいずれか一項に記載の方法。
【０１３９】
３６．アクセスリンクサウンディングは、隣接ｍＢからＷＴＲＵへのサウンディングから測定されることを特徴とする実施形態１ないし３５のいずれか一項に記載の方法。
【０１４０】
３７．同期をさらに含むことを特徴とする実施形態１ないし３６のいずれか一項に記載の方法。
【０１４１】
３８．同期がダウンリンク上で行われることを特徴とする実施形態１ないし３７のいずれか一項に記載の方法。
【０１４２】
３９．メッシュネットワーク初期化をさらに含むことを特徴とする実施形態１ないし３８のいずれか一項に記載の方法。
【０１４３】
４０．メッシュネットワーク初期化は、ノード発見を含むことを特徴とする実施形態１ないし３９のいずれか一項に記載の方法。
【０１４４】
４１．メッシュネットワーク初期化は、干渉マトリクスを含むことを特徴とする実施形態１ないし４０のいずれか一項に記載の方法。
【０１４５】
４２．メッシュネットワーク初期化は、ｍｍＷ  ＷＴＲＵ発見を含むことを特徴とする実施形態１ないし４１のいずれか一項に記載の方法。
【０１４６】
４３．復号転送エッジノードをさらに含むことを特徴とする実施形態１ないし４２のいずれか一項に記載の方法。
【０１４７】
４４．チャネル品質測定およびサウンディング手順は、エンドツーエンドで行われることを特徴とする実施形態１ないし４３のいずれか一項に記載の方法。
【０１４８】
４５．チャネル品質測定およびサウンディング手順は、リンクごとに行われることを特徴とする実施形態１ないし４４のいずれか一項に記載の方法。
【０１４９】
４６．実施形態１ないし４５のいずれか一項に記載の方法を実装するように構成されたことを特徴とする無線送信／受信ユニット。
【０１５０】
４７．実施形態１ないし４５のいずれか一項に記載の方法を実装するように構成されたことを特徴とする基地局。
【０１５１】
４８．実施形態１ないし４５のいずれか一項に記載の方法を実装するための集積回路。
【図１Ａ】
0006040467.tif 000002
【図１Ｂ】
0006040467.tif 000003
【図１Ｃ】
0006040467.tif 000004
【図１Ｄ】
0006040467.tif 000005
【図２】
0006040467.tif 000006
【図３】
0006040467.tif 000007
【図４】
0006040467.tif 000008
【図５】
0006040467.tif 000009
【図６】
0006040467.tif 000010
【図７】
0006040467.tif 000011
【図８】
0006040467.tif 000012
【図９】
0006040467.tif 000013
【図１０】
0006040467.tif 000014